(57)【要約】  フェムトノードまたは他の低電力基地局と通信するデバイスのために、それらと通信するための保護リソースを割り当てることによって、干渉を緩和することを含む方法および装置を提供する。干渉除去を使って、保護リソースについてマクロセル基地局と交渉することができる。保護リソースは、デバイスがマクロセル基地局からの干渉を受けやすい場合があることを示し得るアーリーまたはレートハンドオーバイベントに基づいて割り当てられ得る。  【選択図】    図４
2013541903.tif 000002
【特許請求の範囲】
【請求項１】
ワイヤレスネットワークにおける干渉を緩和するための方法であって、
基地局と通信しているモバイルデバイスに関連したハンドオーバイベントを検出することと、
前記ハンドオーバイベントがアーリーハンドオーバイベントまたはレートハンドオーバイベントの１つであるかどうかを決定することと、
前記ハンドオーバイベントに基づいて、前記ハンドオーバイベント後に前記モバイルデバイスと通信するための保護リソースセットを割り当てることと、
を備える方法。
【請求項２】
前記保護リソースセットについて前記基地局と交渉すること、をさらに備える、請求項１に記載の方法。
【請求項３】
前記ハンドオーバイベントが前記アーリーハンドオーバイベントまたは前記レートハンドオーバイベントに対応するという指示を、前記基地局から受信すること、をさらに備える、請求項１に記載の方法。
【請求項４】
前記基地局から少なくとも１つの信号品質測定値を受信することをさらに備え、前記ハンドオーバイベントが前記アーリーハンドオーバイベントまたは前記レートハンドオーバイベントの１つであるかどうかを前記決定することは、前記少なくとも１つの信号品質測定値に部分的に基づく、請求項１に記載の方法。
【請求項５】
前記少なくとも１つの信号品質測定値は、複数の信号品質測定値の間の差を備える、請求項４に記載の方法。
【請求項６】
前記少なくとも１つの信号品質測定値は、周波数における最も強いセルの信号品質測定値と、対応するセル識別とを備える、請求項４に記載の方法。
【請求項７】
第１の閾値信号品質差を第２の閾値信号品質差に調整することをさらに備え、前記第１の閾値信号品質差および前記第２の閾値信号品質差は、レートハンドオーバを実施するための異なる値に対応する、請求項１に記載の方法。
【請求項８】
前記基地局から信号品質測定値差を受信することをさらに備え、
前記決定することは、前記受信信号品質測定値差、前記第１の閾値信号品質差、および前記第２の閾値信号品質差に基づいて、前記ハンドオーバイベントが前記レートハンドオーバイベントに対応すると決定すること、を備える、請求項７に記載の方法。
【請求項９】
前記ハンドオーバイベントが、第３世代パートナーシッププロジェクト（３ＧＰＰ）ロングタームエボリューション（ＬＴＥ）におけるイベントＡ３である、請求項７に記載の方法。
【請求項１０】
ワイヤレスネットワークにおける干渉を緩和するための装置であって、
基地局と通信しているモバイルデバイスに関連したハンドオーバイベントを検出するための手段と、
前記ハンドオーバイベントがアーリーハンドオーバイベントまたはレートハンドオーバイベントの１つであるかどうかの決定に基づいて、前記モバイルデバイスと通信するための保護リソースセットを割り当てるための手段と、
を備える装置。
【請求項１１】
前記保護リソースセットについて前記基地局と交渉するための手段をさらに備える、請求項１０に記載の装置。
【請求項１２】
ワイヤレスネットワークにおける干渉を緩和するための装置であって、
基地局と通信しているモバイルデバイスに関連したハンドオーバイベントを検出し、
前記ハンドオーバイベントがアーリーハンドオーバイベントまたはレートハンドオーバイベントの１つであるかどうか決定し、
前記ハンドオーバイベントに基づいて、前記ハンドオーバイベント後に前記モバイルデバイスと通信するための保護リソースセットを割り当てる、
ように構成された少なくとも１つのプロセッサと、
前記少なくとも１つのプロセッサに結合されたメモリと、
を備える装置。
【請求項１３】
前記少なくとも１つのプロセッサは、前記保護リソースセットについて前記基地局と交渉するようにさらに構成されている、請求項１２に記載の装置。
【請求項１４】
前記少なくとも１つのプロセッサは、前記基地局から指示を受信したことに部分的に基づいて、前記ハンドオーバイベントが前記アーリーハンドオーバイベントまたは前記レートハンドオーバイベントに対応すると決定する、請求項１２に記載の装置。
【請求項１５】
前記少なくとも１つのプロセッサは、前記基地局から少なくとも１つの信号品質測定値を受信したことに部分的に基づいて、前記ハンドオーバイベントが前記アーリーハンドオーバイベントまたは前記レートハンドオーバイベントの１つであるかどうか決定する、請求項１２に記載の装置。
【請求項１６】
前記少なくとも１つの信号品質測定値は、複数の信号品質測定値の間の差を備える、請求項１５に記載の装置。
【請求項１７】
前記少なくとも１つの信号品質測定値は、周波数における最も強いセルの信号品質測定値と、対応するセル識別とを備える、請求項１５に記載の装置。
【請求項１８】
前記少なくとも１つのプロセッサは、第１の閾値信号品質差を第２の閾値信号品質差に調整するようにさらに構成されており、前記第１の閾値信号品質差および前記第２の閾値信号品質差は、レートハンドオーバを実施するための異なる値に対応する、請求項１２に記載の装置。
【請求項１９】
前記少なくとも１つのプロセッサは、前記基地局に関連した受信信号品質差、前記第１の閾値信号品質差および前記第２の閾値信号品質差に基づいて、前記ハンドオーバイベントが前記レートハンドオーバイベントに対応すると決定する、請求項１８に記載の装置。
【請求項２０】
前記ハンドオーバイベントは、第３世代パートナーシッププロジェクト（３ＧＰＰ）ロングタームエボリューション（ＬＴＥ）におけるイベントＡ３である、請求項１８に記載の装置。
【請求項２１】
ワイヤレスネットワークにおける干渉を緩和するためのコンピュータプログラム製品であって、
少なくとも１つのコンピュータに、基地局と通信しているモバイルデバイスに関連したハンドオーバイベントを検出させるためのコードと、
前記少なくとも１つのコンピュータに、前記ハンドオーバイベントがアーリーハンドオーバイベントまたはレートハンドオーバイベントの１つであるかどうか決定させるためのコードと、
前記少なくとも１つのコンピュータに、前記ハンドオーバイベントに基づいて、前記ハンドオーバイベント後に前記モバイルデバイスと通信するための保護リソースセットを割り当てさせるためのコードと、
を備えるコンピュータ可読媒体、
を備えるコンピュータプログラム製品。
【請求項２２】
前記コンピュータ可読媒体は、前記少なくとも１つのコンピュータに、前記保護リソースセットについて前記基地局と交渉させるためのコードをさらに備える、請求項２１に記載のコンピュータプログラム製品。
【請求項２３】
ワイヤレスネットワークにおける干渉を緩和するための方法であって、
基地局へのモバイルデバイスの通信のハンドオーバに関連したハンドオーバイベントを検出することと、
前記ハンドオーバイベントがアーリーハンドオーバイベントに対応するかどうかを示すハンドオーバメッセージを、前記基地局に送信することと、
を備える方法。
【請求項２４】
前記ハンドオーバイベントを前記検出することは、前記基地局の信号品質差が、少なくとも、前記アーリーハンドオーバイベントに対応する閾値にあると決定すること、を備える、請求項２３に記載の方法。
【請求項２５】
前記ハンドオーバイベントが、第３世代パートナーシッププロジェクト（３ＧＰＰ）ロングタームエボリューション（ＬＴＥ）におけるイベントＡ３である、請求項２４に記載の方法。
【請求項２６】
前記イベントＡ３の前記閾値を、前記アーリーハンドオーバイベントを引き起こすように修正すること、をさらに備える、請求項２５に記載の方法。
【請求項２７】
前記基地局の信号品質差を含むように前記ハンドオーバメッセージを生成すること、をさらに備える、請求項２３に記載の方法。
【請求項２８】
前記ハンドオーバイベントを前記検出することは、信号品質が閾値を下回るかどうか、および／または前記基地局の基地局信号品質が隣接閾値を上回るかどうかを決定すること、をさらに備える、請求項２３に記載の方法。
【請求項２９】
前記基地局の基準信号受信電力に少なくとも部分的に基づき信号品質測定値差を決定することに基づいて、測定報告を生成するように、前記モバイルデバイスに指令することをさらに備える、請求項２３に記載の方法。
【請求項３０】
時分割多重において衝突する基準信号を介して受信された信号に基づいて測定報告を生成するよう、前記モバイルデバイスに指令することをさらに備える、請求項２３に記載の方法。
【請求項３１】
ワイヤレスネットワークにおける干渉を緩和するための装置であって、
基地局へのモバイルデバイスの通信のハンドオーバに関連したハンドオーバイベントを検出するための手段と、
前記ハンドオーバイベントがアーリーハンドオーバイベントに対応するかどうかを示すハンドオーバメッセージを、前記基地局に送信するための手段と、
を備える装置。
【請求項３２】
検出するための前記手段は、部分的には、前記基地局の信号品質差が、少なくとも、前記アーリーハンドオーバイベントに対応する閾値にあると決定することによって、前記ハンドオーバイベントを検出する、請求項３１に記載の方法。
【請求項３３】
ワイヤレスネットワークにおける干渉を緩和するための装置であって、
基地局へのモバイルデバイスの通信のハンドオーバに関連したハンドオーバイベントを検出し、
前記ハンドオーバイベントがアーリーハンドオーバイベントに対応するかどうかを示すハンドオーバメッセージを、前記基地局に送信する、
ように構成された少なくとも１つのプロセッサと、
前記少なくとも１つのプロセッサに結合されたメモリと、
を備える装置。
【請求項３４】
前記少なくとも１つのプロセッサは、部分的には、前記基地局の信号品質差が少なくとも前記アーリーハンドオーバイベントに対応する閾値にあると決定することによって、前記ハンドオーバイベントを検出する、請求項３３に記載の装置。
【請求項３５】
前記ハンドオーバイベントは、第３世代パートナーシッププロジェクト（３ＧＰＰ）ロングタームエボリューション（ＬＴＥ）におけるイベントＡ３である、請求項３４に記載の装置。
【請求項３６】
前記少なくとも１つのプロセッサは、前記アーリーハンドオーバイベントを引き起こすために前記イベントＡ３の前記閾値を修正するようにさらに構成されている、請求項３５に記載の装置。
【請求項３７】
前記少なくとも１つのプロセッサは、前記基地局の信号品質差を含むように前記ハンドオーバメッセージを生成するようにさらに構成されている、請求項３３に記載の装置。
【請求項３８】
前記少なくとも１つのプロセッサは、部分的には、信号品質が閾値を下回るかどうか、および／または前記基地局の基地局信号品質が隣接閾値を超えるかどうかを決定することによって、前記ハンドオーバイベントを検出する、請求項３３に記載の装置。
【請求項３９】
前記基地局の基準信号受信電力に少なくとも部分的に基づき信号品質測定値差を決定することに基づいて、測定報告を生成するように、前記モバイルデバイスに指令するようにさらに構成されている、請求項２３に記載の方法。
【請求項４０】
前記少なくとも１つのプロセッサは、時分割多重において衝突する基準信号を介して受信された信号に基づいて測定報告を生成するよう、前記モバイルデバイスに指令するようにさらに構成されている、請求項３３に記載の装置。
【請求項４１】
ワイヤレスネットワークにおける干渉を緩和するためのコンピュータプログラム製品であって、
少なくとも１つのコンピュータに、基地局へのモバイルデバイスの通信のハンドオーバに関連したハンドオーバイベントを検出させるためのコードと、
前記少なくとも１つのコンピュータに、前記ハンドオーバイベントがアーリーハンドオーバイベントに対応するかどうかを示すハンドオーバメッセージを前記基地局に送信させるためのコードと、
を備えるコンピュータ可読媒体、
を備えるコンピュータプログラム製品。
【請求項４２】
前記少なくとも１つのコンピュータに検出させるための前記コードが、部分的には、前記基地局の信号品質差が、少なくとも、前記アーリーハンドオーバイベントに対応する閾値にあると決定することによって、前記ハンドオーバイベントを検出する、請求項４１に記載のコンピュータプログラム製品。
【発明の詳細な説明】
【米国特許法第１１９条に基づく優先権の主張】
【０００１】
本特許出願は、参照によってその全体が明白に本明細書に組み込まれている、２０１０年９月１７日に出願した、「ＪＯＩＮＴ  ＲＡＤＩＯ  ＲＥＳＯＵＲＣＥ  ＭＡＮＡＧＥＭＥＮＴ  ＡＮＤ  ＩＮＴＥＲＦＥＲＥＮＣＥ  ＭＩＴＩＧＡＴＩＯＮ  ＰＲＯＣＥＤＵＲＥＳ  ＦＯＲ  ＷＩＲＥＬＥＳＳ  ＮＥＴＷＯＲＫＳ」という名称の仮出願第６１／３８４，１６３号、および２０１１年９月１４日に出願した、「ＭＥＴＨＯＤ  ＡＮＤ  ＡＰＰＡＲＡＴＵＳ  ＦＯＲ  ＩＮＴＥＲＦＥＲＥＮＣＥ  ＭＩＴＩＧＡＴＩＯＮ  ＩＮ  ＷＩＲＥＬＥＳＳ  ＮＥＴＷＯＲＫＳ」という名称の米国特許出願第１３／２３２，８８３号に対する優先権を主張する。
【背景】
【０００２】
（分野）
以下の説明は、概してワイヤレスネットワーク通信に関し、より詳細には、干渉を緩和するための要件に関する。
【０００３】
（背景）
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、第３世代パートナーシッププロジェクト（３ＧＰＰ）（たとえば、３ＧＰＰ  ＬＴＥ（ロングタームエボリューション(Long Term Evolution)）／ＬＴＥ−Ａｄｖａｎｃｅｄ）、ウルトラモバイルブロードバンド(ultra mobile broadband)（ＵＭＢ）、エボリューションデータオプティマイズド(evolution data optimized)（ＥＶ−ＤＯ）などの規格に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
従来の基地局を補うために、追加の制限付き基地局を展開して、よりロバストなワイヤレスカバレージをモバイルデバイスに与え得る。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトノード、ピコノードなどと呼ばれることがある）ワイヤレス中継局および低電力基地局が展開され得る。いくつかの構成では、モバイル事業者のネットワークへのバックホールリンクを与えることができる、ブロードバンド接続（たとえば、デジタル加入者回線（ＤＳＬ）ルータ、ケーブルまたは他のモデムなど）を介して、そのような低電力基地局をインターネットに接続することができる。したがって、たとえば、ユーザの自宅内に低電力基地局を展開して、ブロードバンド接続を介して１つまたは複数のデバイスにモバイルネットワークアクセスを与えることができる。
【０００６】
低電力基地局は、従来のマクロセル基地局の電力よりも大幅に低い電力で動作するので、低電力基地局が、マクロセル基地局のセル内で、マクロセル基地局の比較的近くに位置する場合、低電力基地局の近くのデバイスは、マクロセル基地局からの電力増大を受け得る。この場合、低電力基地局からのサービスが所望され得るが、デバイスは、低電力基地局にハンドオーバすることは決してできない。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の態様およびそれに対応する開示によると、本開示は、低電力基地局（たとえば、フェムトノード）、従来の基地局（たとえば、マクロセル基地局）、およびそれらと通信するデバイスの間での干渉の緩和に関連して、様々な態様について記載される。マクロセル基地局は、デバイスによって測定されたマクロセル基地局電力が、フェムトノードの電力と比較して閾値(threshold)を超えるように、フェムトノードへのデバイスのアーリーハンドオーバ(early handover)を実施することができる。マクロセル基地局は、フェムトノードへのアーリーハンドオーバイベントを示すことができ、フェムトノードは、マクロセル基地局によって引き起こされる干渉から保護されるリソースをデバイス用に選択することができる。たとえば、これらのリソースは、マクロセル基地局とフェムトノードとの間で交渉されることができる(can be negotiated)。同様に、デバイスがフェムトノードと通信している場合、フェムトノードは、デバイスに関するマクロセル基地局へのハンドオーバを遅らせるために、レートハンドオーバイベント(late handover event)を構成することができる。この例では、マクロセル基地局の電力が、フェムトノードの電力との閾値差(a threshold difference from the power of the femto node)を超えて増大すると、フェムトノードは、同様に、マクロセル基地局による干渉から保護されるリソースをデバイス用に選択することができる。したがって、干渉するマクロセル基地局があるとき、デバイスは、フェムトノードと通信することができる。
【０００９】
ある例によると、ワイヤレスネットワークにおける干渉を緩和するための方法が提供される。この方法は、基地局と通信しているデバイスに関連したハンドオーバイベントを検出することと、ハンドオーバイベントが、アーリーまたはレートハンドオーバイベントの１つであるかどうか決定することとを含む。さらに、この方法は、ハンドオーバイベントに基づいて、ハンドオーバイベント後にモバイルデバイスと通信するための保護リソースセット(a set of protected resources)を割り当てることを含み得る。
【００１０】
別の態様では、ワイヤレスネットワークにおける干渉を緩和するための装置が提供される。この装置は、基地局と通信しているモバイルデバイスに関連したハンドオーバイベントを検出するための手段を含む。この装置は、ハンドオーバイベントがアーリーハンドオーバイベントまたはレートハンドオーバイベントの１つであるかどうかの決定に基づいて、モバイルデバイスと通信するための保護リソースセットを割り当てるための手段も含む。
【００１１】
さらに別の態様では、基地局と通信しているモバイルデバイスに関連したハンドオーバイベントを検出し、ハンドオーバイベントがアーリーハンドオーバイベントまたはレートハンドオーバイベントの１つであるかどうか決定するように構成された少なくとも１つのプロセッサを含む、ワイヤレスネットワークにおける干渉を緩和するための装置が提供される。少なくとも１つのプロセッサは、ハンドオーバイベントに基づいて、ハンドオーバイベント後にモバイルデバイスと通信するための保護リソースセットを割り当てるようにさらに構成される。この装置は、少なくとも１つのプロセッサに結合されたメモリをさらに含む。
【００１２】
さらに、別の態様では、少なくとも１つのコンピュータに、基地局と通信しているモバイルデバイスに関連したハンドオーバイベントを検出させるためのコードと、少なくとも１つのコンピュータに、ハンドオーバイベントがアーリーハンドオーバイベントまたはレートハンドオーバイベントの１つであるかどうか決定させるためのコードとを有するコンピュータ可読媒体を含む、ワイヤレスネットワークにおける干渉を緩和するためのコンピュータプログラム製品が提供される。コンピュータ可読媒体は、少なくとも１つのコンピュータに、ハンドオーバイベントに基づいて、ハンドオーバイベント後にモバイルデバイスと通信するための保護リソースセットを割り当てさせるためのコードをさらに含む。
【００１３】
別の例では、基地局へのモバイルデバイスの通信のハンドオーバに関連したハンドオーバイベントを検出することと、ハンドオーバイベントがアーリーハンドオーバイベントに対応するかどうかを示すハンドオーバメッセージを基地局に送信することとを含む、ワイヤレスネットワークにおける干渉を緩和するための方法が提供される。
【００１４】
別の態様では、ワイヤレスネットワークにおける干渉を緩和するための装置が提供される。この装置は、基地局への、モバイルデバイスの通信のハンドオーバに関連したハンドオーバイベントを検出するための手段を含む。この装置は、ハンドオーバイベントがアーリーハンドオーバイベントに対応するかどうかを示すハンドオーバメッセージを基地局に送信するための手段も含む。
【００１５】
さらに別の態様では、ワイヤレスネットワークにおける干渉を緩和するための装置が提供される。この装置は、基地局へのモバイルデバイスの通信のハンドオーバに関連したハンドオーバイベントを検出し、ハンドオーバイベントがアーリーハンドオーバイベントに対応するかどうかを示すハンドオーバメッセージを基地局に送信するように構成された少なくとも１つのプロセッサを含む。この装置は、少なくとも１つのプロセッサに結合されたメモリをさらに含む。
【００１６】
さらに、別の態様では、少なくとも１つのコンピュータに、基地局への、モバイルデバイスの通信のハンドオーバに関連したハンドオーバイベントを検出させるためのコードを有するコンピュータ可読媒体を含む、ワイヤレスネットワークにおける干渉を緩和するためのコンピュータプログラム製品が提供される。コンピュータ可読媒体は、少なくとも１つのコンピュータに、ハンドオーバイベントがアーリーハンドオーバイベントに対応するかどうかを示すハンドオーバメッセージを基地局に送信させるためのコードをさらに含む。
【００１７】
上記および関連する目的を達成するために、１つまたは複数の態様は、以下で十分に説明され特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００１８】
開示する態様は、添付の図面とともに以下に説明され、開示する態様を限定するためではなく、開示する態様を例示するために与えられ、同様の表示は同様の要素を示す。
【図面の簡単な説明】
【００１９】
【図１】低電力基地局およびマクロセル基地局と通信するデバイスを含むシステムの態様のブロック図。
【図２】ハンドオーバイベントに基づいてデバイスにリソースを割り当てるためのシステムの態様のブロック図。
【図３】デバイスについてのハンドオーバイベントをフェムトノードに伝達するためのシステムの態様のブロック図。
【図４】デバイスに保護または非保護リソースを割り当てるための方法体系の態様のフローチャート。
【図５】基地局にハンドオーバメッセージを送信するための方法体系の態様のフローチャート。
【図６】測定報告を生成するよう、デバイスに指令するための方法体系の態様のフローチャート。
【図７】測定報告を生成するよう、デバイスに指令するためのリソースを決定するための方法体系の態様のフローチャート。
【図８】本明細書で説明する態様による基地局のブロック図。
【図９】本明細書に記載する様々な態様による、ワイヤレス通信システムの態様のブロック図。
【図１０】本明細書で説明する様々なシステムおよび方法とともに採用され得るワイヤレスネットワーク環境の態様の概略ブロック図。
【詳細な説明】
【００２０】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施できることは明らかであろう。
【００２１】
低電力基地局およびマクロセル基地局を含むワイヤレスネットワーク内のデバイスについての干渉緩和に関連した様々な問題について、本明細書においてさらに説明する。低電力基地局は、本明細書では、フェムトノード、ピコノード、マイクロノード、または同様の基地局と呼ぶ場合がある。具体的には、デバイスに関連したハンドオーバイベントを検出することができ、保護リソースセットをデバイスに割り当てて、リソースセットにより干渉を緩和することができる。たとえば、マクロセル基地局はフェムトノードよりも望ましい信号品質をもつが、デバイスは、マクロセル基地局からフェムトノードにハンドオーバされる場合がある。これは、アーリーハンドオーバイベントと呼ばれ得る。この例では、フェムトノードは、リソースにより干渉を緩和するように、マクロセル基地局と交渉されたリソースをデバイスに割り当てることができる。リソースは、本明細書では、保護リソース(protected resources)、干渉キャンセルリソース(interference cancelled resources)、セル間干渉調整(inter-cell interference coordination)（ＩＣＩＣ）リソース、強化されたＩＣＩＣ(enhanced ICIC)（ｅＩＣＩＣ）リソースなどと呼ぶ場合がある。
【００２２】
同様の例において、マクロセル基地局とフェムトノードとの間の信号品質差(signal quality difference)が、通常はハンドオーバを示す閾値を超えるが、フェムトノードと通信するデバイスは、マクロセル基地局へのハンドオーバにおいて、遅延される場合がある。たとえば、閾値は調整することができ、および／またはデバイスをマクロセル基地局に実際にハンドオーバするための別のより高い閾値を設定することができる。信号品質差が、通常はハンドオーバを示す閾値に達すると、このことは、レートハンドオーバイベントへの進入を示すことができ、フェムトノードは同様に、保護リソースを、より高い閾値に達するまで（および／またはレートハンドオーバイベントからの退出が検出されるまで）、そのリソースにより通信するためにデバイスに割り当てることができる。一例では、ワイヤレス標準における既存のイベント閾値は、アーリーおよび／またはレートハンドオーバイベントがトリガされる(triggered)ときを決定するために使用されることができる（たとえば、３ＧＰＰ  ＬＴＥにおけるイベントＡ３、Ａ２またはＡ４など）。別の例では、この目的のために新たなイベントを定義してよい。
【００２３】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置すること、および／または２つ以上のコンピュータ間に分散することができる。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００２４】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）などと呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムなどに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、発展型ノードＢ（ｅＮＢ）、または何らかの他の用語で呼ばれることもある。
【００２５】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」と「ａｎ」とは、別途指定されない限り、または単数形を対象とすべきであると文脈から明らかでない限り、通常、「１つまたは複数」を意味すると解釈されるべきである。
【００２６】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰロングタームエボリューション（ＬＴＥ）は、Ｅ−ＵＴＲＡを使用するＵＭＴＳのリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥ／ＬＴＥ−Ａｄｖａｎｃｅｄ、およびＧＳＭは、「第３世代パートナーシッププロジェクト」（３ＧＰＰ）という名称の組織からの文書に記載されている。さらに、ｃｄｍａ２０００およびＵＭＢは、「第３世代パートナーシッププロジェクト２」（３ＧＰＰ２）という名称の組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２７】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２８】
図１は、様々なクラスの電力をもつワイヤレスネットワーク内の基地局の間での移動性および／または干渉緩和を提供するための例示的システム１００を示す。システム１００は、第１の電力クラスでのマクロセル基地局または同様の基地局（たとえば、ｅＮＢ）であり得る基地局１０２と、第１の電力クラスよりも低い第２の電力クラスでのフェムトノード、ピコノード、マイクロノードなどのような低電力基地局であり得る基地局１０４とを含む異種展開ワイヤレスネットワークであり得る。ネットワークは、基地局１０２および／または１０４と通信するデバイス１０６（たとえば、ＵＥ）と、同様にマクロセル基地局であり得る基地局１０８とをさらに含み得る。システム１００は、基地局１０２および／または１０８と通信することができるデバイス１１０も含む。さらに、基地局１０２は、ワイヤードまたはワイヤレスバックホール接続を介して（たとえば、ＬＴＥ構成でのＸ２インターフェースを使って）基地局１０４および／または１０８と通信することができる。
【００２９】
概して、デバイス１１０は、基地局１０２と通信することができ、基地局１０８の方へ動き得る。デバイス１１０が基地局１０８のセルカバレージに入ると、基地局１０２は、デバイス１１０から受信した測定報告からの１つまたは複数のイベントの検出に基づいて、（たとえば、アイドルまたはアクティブモードにある）デバイス１１０を基地局１０８にハンドオーバすることができる。たとえば、１つまたは複数のイベントは、基地局１０８の信号品質測定値(signal quality measurement)が、基地局１０２の測定値との閾値差(a threshold difference from that of base station 102)を超えたことの検出に対応し得る。フェムトノード１０４が、基地局１０２によって提供されるセル内で動作する場合、上記イベントがデバイス１０６に対して所望の通信を十分に遂行することができないとき、移動性手順は修正してよい。
【００３０】
たとえば、従来の移動性手順を使って、フェムトノード１０４が基地局１０２に近づくほど、デバイス１０６は、フェムトノード１０４にハンドオーバされるために、フェムトノード１０４に近づき、または少なくとも基地局１０２から離れる（たとえば、セルエッジに近づく）必要があり得る。この点に関して、１つまたは複数のイベントについての閾値は、デバイス１０６をフェムトノード１０４により早くハンドオーバさせるように修正することができ（たとえば、基地局１０２とフェムトノード１０４との間の電力差がより大きい場合）、これを本明細書では、アーリーハンドオーバイベントと呼ぶ場合がある。同様に、デバイスがフェムトノード１０４と通信している場合、１つまたは複数のイベントは、デバイス１０６に、基地局１０２にハンドオーバする前にフェムトノード１０４とより長く通信し続けさせるように修正することができ（たとえば、フェムトノード１０４と基地局との間の電力差がより大きい場合）、電力差が元の閾値(original threshold)よりも大きく、修正された閾値(modified threshold)未満である時間は、本明細書ではレートハンドオーバイベント(a late handover event)と呼ぶ場合がある。したがって、レートハンドオーバイベントへの進入は、電力差が、ハンドオーバを引き起こすための元の閾値であるときに起こり得る。これは、たとえば、デバイス１０６が基地局１０２に極近接している場合に有益であり得る。
【００３１】
デバイス１０６が、基地局１０２から比較的離れている（たとえば、セルエッジに比較的近い）場合、１つまたは複数のイベントについての閾値は修正することができず、またはデバイス１０６が基地局１０２に比較的近い場合よりもわずかにしか修正することができない。したがって、閾値が大幅に修正される場合、デバイス１０６は、基地局１０２からの通信によって干渉される機会が増える（たとえば、デバイス１０６が、基地局１０２に比較的近く、そこからより高い電力を受けるので）。この場合、たとえば、デバイス１０６が基地局１０２からフェムトノード１０４にハンドオーバされると、フェムトノード１０４は、フェムトノード１０４と通信するための保護リソースセットをデバイス１０６に割り当てることができる。保護リソースセットは、ＩＣＩＣ、ｅＩＣＩＣ、または他の干渉除去方式で基地局１０２とフェムトノード１０４との間で交渉されるリソースに対応し得る。したがって、デバイス１０６は、基地局１０２に近い場合、フェムトノード１０４と通信するために基地局１０２によって使用されないリソースを割り当てられることによって、基地局からの干渉を避けることができる。この例では、フェムトノード１０４は、デバイス１０６がフェムトノード１０４にアーリーハンドオーバされるかどうか（たとえば、１つまたは複数の閾値が、アーリーハンドオーバを実施するために基地局１０２において修正されるかどうか）、１つまたは複数の閾値が修正される程度などについての指示を（たとえば、基地局１０２またはそれ以外から）受信することができ、フェムトノード１０４はしたがって、保護リソースをデバイス１０６に割り当てることができる。
【００３２】
同様の例において、デバイス１０６が（たとえば、レートハンドオーバにおいて）フェムトノード１０４から基地局１０２にハンドオーバされる場合、フェムトノード１０４は、少なくとも、デバイスによって報告された基地局１０２の信号品質が、レートハンドオーバイベントについてのフェムトノード１０４の信号品質との閾値差の下であり(under the threshold difference from that of femto node 104 for a late handover event)、第２の閾値差(second threshold difference)（たとえば、ハンドオーバを引き起こす元の差(original difference)、または別の定義された閾値（another defined threshold））を超える場合、保護リソースセットをデバイス１０６に割り当てることができる。同様に、この点に関して、デバイス１０６は、基地局１０２の干渉から保護され得る。一例では、本明細書においてさらに説明するように、標準化イベント(standardized events)（たとえば、ＬＴＥにおけるイベントＡ３、Ａ２、Ａ４など）は、そのような機能性を達成するのに利用／修正することができる。他の例では、新たなイベントを、追加または代替として定義することができる。さらに、低電力基地局１０４は、フェムトノード１０４と呼ばれるが、低電力基地局１０４は、マクロセル基地局、ピコノード、マイクロノード、ホームＮＢまたはホームｅＮＢ（Ｈ（ｅ）ＮＢ）などのような、実質的にどのｅＮＢでもよいことを諒解されたい。
【００３３】
図２は、いくつかの移動性手順において干渉を緩和するための例示的装置２００を示す。装置２００は、１つまたは複数のデバイスと通信してデバイスにワイヤレスネットワークアクセスを提供することができるとともに図示するもの以外の追加モジュールを含み得るフェムトノード（たとえば、フェムトノード１０４）または他の低電力基地局であり得る。装置２００は任意選択で、１つもしくは複数の基地局とリソースについて交渉するためのリソース交渉モジュール２０２および／またはデバイスが装置２００にハンドオーバされるべきか決定するためのハンドオーバ検出モジュール２０４を含み得る。装置２００はまた、ハンドオーバを円滑にするためにデバイスにリソースを割り振るための(for allocating resources)リソース割当てモジュール(resource assigning module)２０６と、リソース割振り(resource allocation)をデバイスに伝達し、かつ／またはリソース割振りによりデバイスと通信するための通信モジュール２０８とを含み得る。装置２００は任意選択で、別の基地局へのデバイスのハンドオーバに関連した１つまたは複数のイベントの出現を決定するためのイベント決定モジュール２１０も含み得る。
【００３４】
ある例によると、リソース交渉モジュール２０２は、干渉キャンセルリソースについてソース基地局と交渉することができる。たとえば、この交渉は、リソースがソース基地局による干渉から保護されるようにするために、少なくとも、ソース基地局が１つまたは複数のデバイスと通信するのに使わない保護リソースセットを、リソース交渉モジュール２０２が受信することができるように、ＩＣＩＣ、ｅＩＣＩＣ、または同様の干渉除去機構を使って、リソースについて交渉することを含み得る。一例では、保護リソースは、装置２００に割り当てられる時分割多重（ＴＤＭ）リソースであり得る。リソース交渉モジュール２０２は、そのようなリソースについて、マクロセル基地局、他のフェムトノードまたは低電力基地局などを含み得る追加基地局と交渉し得ることを諒解されたい。
【００３５】
さらに、ある例では、ハンドオーバ検出モジュール２０４は、デバイスに関連したソース基地局からハンドオーバメッセージを受信することができる。ハンドオーバメッセージは、ハンドオーバ用に装置２００を準備するための情報を含み得る。さらに、ハンドオーバメッセージは、デバイスが装置２００に早期に(early)ハンドオーバされているかどうか（たとえば、ソース基地局の信号品質が、デバイスにおける、装置２００の信号品質との閾値差を超えるかどうか）の指示を含み得る。別の例では、ハンドオーバメッセージは、デバイスによって報告された信号品質の差を含み得る。この情報に基づいて、リソース割当てモジュール２０６は、デバイスに保護リソースを割り当てるかどうか決定することができる。
【００３６】
たとえば、デバイスが、ソース基地局から早期にハンドオーバされている場合、および／または指示された信号品質差が閾値を超える場合、リソース割当てモジュール２０６は、装置２００と通信するために、保護リソースの少なくとも一部分をデバイスに割り当てることができる。保護リソースは、リソース交渉モジュール２０２によって交渉されたリソースの一部分、装置２００および／またはソース基地局によって既知の、事前構成された保護リソースセットの一部分などであり得る。デバイスが、早期にハンドオーバされていない、および／または指示された信号品質差が閾値を超えない場合、リソース割当てモジュール２０６は、たとえば、アーリーハンドオーバデバイス用に保護リソースを確保するために、デバイスに非保護リソースを割り当てることができる。さらに、装置２００およびソース基地局が同様の送信電力を使う場合、リソース割当てモジュール２０６は、デバイスによる干渉からサービング基地局を保護するために、デバイスからのアップリンク通信に、サービング基地局と干渉しない保護リソースを割り当てることもできる。
【００３７】
いずれの場合にも、通信モジュール２０８は、デバイスにリソース割振りを伝達し、かつ／またはリソース割振りによりデバイスと通信することができる。したがって、いくつかのケースでは、ソース基地局からの干渉が存在し得る場合、デバイスには保護リソースを割り当てることができる。別の例では、デバイスが装置２００と通信している場合、イベント決定モジュール２１０は、別の基地局の信号品質に基づいて、レートハンドオーバイベントがトリガされると決定することができる。この例では、たとえば、少なくとも、（たとえば、説明するように、装置２００とのデバイス通信をより長い期間保つための）より高い信号品質差閾値をもつ別の実際のハンドオーバイベントがトリガされるまで、（たとえば、信号品質差が閾値を下回ることをハンドオーバ検出モジュール２０４が検出するのに基づいて）レートハンドオーバイベントからの退出が検出されるまで、リソース割当てモジュール２０６は、デバイスに保護リソースを同様に割り当てることができる。
【００３８】
図３は、いくつかの移動性手順において干渉を緩和するための例示的装置３００を示す。装置３００は、１つまたは複数のデバイスと通信してデバイスにワイヤレスネットワークアクセスを提供することができるとともに図示するもの以外の追加モジュールを含み得るマクロセル基地局（たとえば、基地局１０２）または他の高電力基地局でよい。装置３００は任意選択で、１つまたは複数のフェムトノードまたは他の基地局とリソースについて交渉するためのリソース交渉モジュール３０２を含み得る。装置３００はまた、デバイスと通信するための通信モジュール３０４と、デバイスについてのハンドオーバイベントを検出するためのハンドオーバイベント決定モジュール３０６とを含み得る。さらに、装置３００は、ハンドオーバイベントに基づいてフェムトノードにハンドオーバメッセージを伝達するためのハンドオーバ通知モジュール３０８と、デバイスをフェムトノードにハンドオーバするのを円滑にするために、デバイスにハンドオーバコマンドを伝達するためのハンドオーバモジュール３１０とを含む。
【００３９】
ある例によると、リソース交渉モジュール３０２は、ＩＣＩＣ、ｅＩＣＩＣなどを使って、フェムトノードとリソースについて交渉して、フェムトノードが伝達する際に使わないリソースセットを取得し、かつ／または装置３００が伝達する際に使わないリソースセットを提供することができる。通信モジュール３０４は、割り当てられた通信リソースセットにより、デバイスと通信することができる。ハンドオーバイベント決定モジュール３０６は、デバイスについてのハンドオーバ関連イベントを検出することができ、この検出は、付近のフェムトノードの信号品質が、少なくともデバイスにおける、装置３００における信号品質への閾値差(threshold difference)にあると決定することを含み得る。たとえば、これは、説明するように、ハンドオーバをトリガする閾値差および／または修正された閾値差に基づき得る。
【００４０】
この例では、ハンドオーバ通知モジュール３０８は、フェムトノードにハンドオーバの準備をさせるために、フェムトノードにハンドオーバメッセージを送ることができる。ハンドオーバメッセージは、一例では、説明するように、ハンドオーバがアーリーハンドオーバであるという指示、および／またはデバイスにおける、フェムトノードと装置３００との間の信号品質差の指示を含み得る。フェムトノードは、この情報を、上述したように、デバイスに保護リソースを割り当てるかどうか決定するのに使うことができる。さらに、ハンドオーバイベントの決定に応答して、ハンドオーバモジュール３１０は、デバイスに、フェムトノードに通信をハンドオーバするよう指令することができる。
【００４１】
特定の例では、ＬＴＥにおいて、基地局は、デバイスにおける、サービング基地局またはそのセルの信号品質よりも一定のオフセットだけ優れている信号品質をネイバーセルがもつ、デバイスに関連したイベントＡ３を検出することができる。３ＧＰＰ  ＴＳ３６．３３１バージョン９．３．０によると、たとえば、イベントＡ３のための進入条件は、以下のときに起こり得る。
【数１】
2013541903.tif 000003
【００４２】
上式で、Ｍｎはネイバーセルの測定結果であり、Ｏｆｎはネイバーセルの周波数の周波数固有オフセットであり、Ｏｃｎはネイバーセルのセル固有オフセットであり、Ｈｙｓは（たとえば、基地局の間でのピンポンハンドオーバを防止するための）イベント用のヒステリシスパラメータであり、Ｍｓはサービングセルの測定結果であり、Ｏｆｓはサービング周波数の周波数固有オフセットであり、Ｏｃｓはサービングセルのセル固有オフセットであり、Ｏｆｆはイベント用のオフセットパラメータである。
【００４３】
したがって、ハンドオーバイベント決定モジュール３０６は、Ｏｃｓ、Ｏｃｎ、および／またはＯｆｆパラメータを調整することによって、装置３００におけるハンドオーバを引き起こすための異なるオフセットを構成し得る。図１を参照すると、たとえば、基地局１０２のＯｃｓが０デシベル（ｄＢ）であるとすると、基地局１０８のＯｃｎは０ｄＢでよく、フェムトノード１０４のＯｃｎは１５ｄＢに設定され得る。この例では、イベントＡ３は、異なるＭｓおよびＭｎオフセットで、デバイス１１０および１０６に関してトリガされる。一方、複数のＡ３イベントが、異なるＯｆｆ値をもってデバイスに対して構成され得る。たとえば、１つは３ｄＢのＯｆｆをもち、第２のものは１５ｄＢのＯｆｆをもつ、２つのイベントＡ３をデバイス１０６に対して構成することができよう。この場合、デバイス１０６が基地局１０２からフェムトノード１０４に動くと、２つのイベントＡ３がトリガされ得る。イベントＡ３は一般に、信号品質、すなわちＸｄＢ（Ｘ＞０）がサービングセルの信号品質を、Ｔ秒の持続期間にわたって上回る場合、ハンドオーバをトリガするように構成される。同種ネットワークにおいて、３ｄＢの典型的なハンドオーバ閾値(typical handover threshold)が、マクロセル基地局１０２とマクロセル基地局１０８との間で構成され得る。
【００４４】
一例では、異種ネットワークにおいて、イベントＡ３は、ハンドオーバなしのリソース分割、サービングセルからの干渉保護を伴うアーリーハンドオーバイベント、ネイバーセルからの干渉保護を伴うレートハンドオーバイベントなどをトリガするようにも構成され得る。たとえば、フェムトノード１０４の範囲を拡大するために、基地局１０２は、説明するように、基地局１０２からの干渉保護を伴う、基地局１０２からフェムトノード１０４へのアーリーハンドオーバおよび／またはフェムトノード１０４から基地局１０２へのレートハンドオーバをトリガするように、イベントＡ３を構成することができる。さらに、干渉を緩和するために、基地局１０２および／またはフェムトノード１０４は、ハンドオーバが実際に起こるかどうかにかかわらず、基地局１０２とフェムトノード１０４との間のリソース分割をトリガするように、イベントＡ３を構成することができる。
【００４５】
例示的構成において、図２および図３を参照すると、ハンドオーバイベント決定モジュール３０６は、イベントＡ３に入るとき、すなわちＭｎ−Ｍｓ＜０ｄＢであるときなど、極低閾値(very low threshold)をもつ負のイベントＡ３閾値を構成することができる。たとえば、ハンドオーバイベント決定モジュール３０６は、Ｍｎ−Ｍｓ＞−１５ｄＢであるときにトリガするように、イベントＡ３閾値を調整することができる。このような構成において、ネイバーセル（たとえば、装置２００によって提供されるセル）の測定結果Ｍｎと、サービングセル（たとえば、装置３００によって提供されるセル）の測定結果Ｍｓとの間の信号品質差が−１５ｄＢであるとき、またはほぼその値であるとき、イベントＡ３に入る。一例では、調整閾値(adjusted threshold)は、無線リンク故障閾値(radio link failure threshold)を下回り得る（たとえば、ＬＴＥではほぼ−１０ｄＢ）。この点に関して、ネイバーセルがサービングセルよりもはるかに弱いとき、ハンドオーバイベント決定モジュール３０６は、アーリーハンドオーバが干渉緩和なしで無効になり得るように、イベントＡ３をトリガすることができる。
【００４６】
アーリーハンドオーバの指示は、ハンドオーバ通知モジュール３０８によって、バックホール接続を介して装置２００に伝達することができ、ハンドオーバ検出モジュール２０４はこの指示を受信することができる。この点に関して、リソース割当てモジュール２０６は、それと通信するための保護リソースセットをデバイスに割り当てることができる。指示は、アーリーハンドオーバの明示的指示でよく、かつ／またはアーリーハンドオーバイベントがそこから決定され得る関連セル識別子などとともに信号品質測定値Ｍｎ、Ｍｓなどを含み得る。たとえば、指示は、所与の周波数における最も強いセル(a strongest cell on a given frequency)からの信号品質測定値を、ハンドオーバ検出モジュール２０４が（たとえば、装置２００の信号品質測定値と比較した信号品質測定値に基づいて）アーリーハンドオーバを見分け得るための、対応するセル識別子(the corresponding cell identifier)とともに含み得る。１つの具体例では、指示は、ハンドオーバ通知モジュール３０８からの明示的メッセージの中にあってよく、このメッセージは、通常は１つまたは複数の基地局の測定値を報告するためのキャリア集約において使われるメッセージであり得る。メッセージは、ＬＴＥにおける以下の固有データ構造と同様の形式をもち得る。
【数２】
2013541903.tif 000004
【００４７】
この例では、ｒｓｒｐＲｅｓｕｌｔ−ｒ１０およびｒｓｒｑＲｅｓｕｌｔ−ｒ１０は、アーリーハンドオーバを示すいくつかの値(certain values)を指定することができ、したがってハンドオーバ検出モジュール２０４は、この構造を受信し、その値に、その値と閾値の比較に、等、部分的に基づいて(based in part on the values, on comparing the values to thresholds, etc.)アーリーハンドオーバを決定することができる。たとえば、ハンドオーバ検出モジュール２０４は、（この例ではサービングセルを提供する）装置３００のｒｓｒｐＲｅｓｕｌｔ−ｒ１０および／またはｒｓｒｐＲｅｓｕｌｔ−ｒ１０を、（この例ではネイバーセルを提供する）装置２００のものと比較すればよい。ｐｈｙｓＣｅｌｌＩｄ−ｒ１０などの関連セル識別子(related cell identifiers)は、装置３００の測定値を、たとえば、装置２００の測定値および／または他の測定値と区別するのに使うことができる。ハンドオーバ検出モジュール２０４は、最も強い測定値を決定することができ、最も強い測定値は、この例では装置３００のものであり得る。したがって、装置３００についての信号品質測定値が、装置２００についての測定値よりも大きい場合、このことは、ネイバーセルへのアーリーハンドオーバを示し得る。
【００４８】
図２および／または図３を参照して概要を説明したデバイスは、たとえばデバイス１０６を指し得る。同様に、装置２００はフェムトノード１０４を指すことができ、装置３００は基地局１０２を指すことができ、両方とも、以下に提示する様々な例においてサービングまたはネイバーセルと呼ばれ得る。たとえば、データと制御ダウンリンクリソースの両方が、アーリーハンドオーバ時にデバイス用にネイバーセルにおいて保護され得る。一例では、リソースのＴＤＭは、干渉キャンセル保護リソースについて交渉するのに使われ得る。サービングセルおよびネイバーセルが同様の送信電力をもつ場合、リソース割当てモジュール２０６は、検出されたアーリーまたはレートハンドオーバイベントに基づいて、アップリンク通信にも保護リソースを割り当てることができる。
【００４９】
別の構成では、デバイスが、装置２００のサービングセルと通信しており、装置３００のネイバーセルへのハンドオーバを検討している場合、イベント決定モジュール２１０は、Ｍｎ−Ｍｓ＞＞０ｄＢである（たとえば、Ｍｎ−Ｍｓが４ｄＢよりも大きく、またはＭｎ−Ｍｓが８ｄＢ〜１０ｄＢよりも大きい）ときにイベントＡ３条件がトリガするように、高いイベントＡ３閾値を構成することができる。たとえば、イベント決定モジュール２１０は、Ｍｎ−Ｍｓ＞１５ｄＢであるときにイベントＡ３条件をトリガし得る。この場合、ネイバーセルは、サービングセルよりも強い。レートハンドオーバイベントの前にデバイスとサービングセルとの間のリンクの信頼性を維持するために、リソース割当てモジュール２０６は、ネイバーセルから干渉を全く受けないか、または少なくとも比較的低いレベルの干渉を受ける保護リソースでデバイスを同様に構成することができる。
【００５０】
この例では、データと制御ダウンリンクリソースの両方が、装置２００からの通信のためにデバイス用に保護され得る。リソースのＴＤＭが、リソース保護の一例である。サービングセルおよびネイバーセルが、同様の送信電力をもつ場合、リソース割当てモジュール２０６は、ネイバーセルにおけるアップリンクリソースを、サービングセル内で装置２００によってサービングされるデバイスからの干渉から保護するために、デバイスに保護リソースを割り当てることができる。レートハンドオーバイベントは、デバイスがサービングセルに近いときに起こり得るので、サービングセルが、ネイバーセルよりもはるかに低い送信電力をもつ場合、リソース割当てモジュール２０６は、装置２００でのアップリンクリソースを、ネイバーセルによってサービングされるデバイスによる干渉から保護するために、保護されたアップリンクリソースをデバイスに割り当てればよい。
【００５１】
他の例では、ハンドオーバイベント決定モジュール３０６は、ＬＴＥ移動性のために定義されたイベントＡ２および／またはイベントＡ４を、イベントＡ３の挙動を修正するように構成することができる。たとえば、ハンドオーバイベント決定モジュール３０６は、サービングセル（たとえば、装置３００のセル）の信号品質が閾値を下回る（条件：Ｍｓ＋Ｈｙｓ＜Ｔｈｒｅｓｈ）イベントＡ２および／またはネイバーセル（たとえば、装置２００のセル）の信号品質が隣接閾値(neighbor threshold)を上回る（条件：Ｍｎ＋Ｏｆｎ＋Ｏｃｎ−Ｈｙｓ＞Ｔｈｒｅｓｈ）イベントＡ４が起こると、干渉保護／緩和を伴うハンドオーバを防止することができる。デバイスが、熱および／または周辺干渉によって制限される場合、たとえば、支配的干渉の除去が、信号対干渉雑音比（ＳＩＮＲ）における実質的な利得につながることはない。ハンドオーバのケースでは、サービングセルが絶対閾値(absolute threshold)（たとえば、熱と比較して、３ｄＢ）を下回るとハンドオーバイベント決定モジュール３０６が決定した場合、範囲拡張におけるより弱いセルへのハンドオーバをトリガすることはできない。
【００５２】
たとえば、Ｍｓ＜３ｄＢであるときにイベントＡ２がトリガされ、次いで、Ｍｎ−Ｍｓ＞−１５ｄＢであるときにイベントＡ３がトリガされる場合、ネイバーセルの測定結果Ｍｎが隣接閾値（たとえば、−１２ｄＢ）未満なので、ハンドオーバイベント決定モジュール３０６は、サービングセルからネイバーセルへのデバイスのアーリーハンドオーバの実施を避けてよい。別の例では、ハンドオーバイベント決定モジュール３０６がイベントＡ４のトリガリングを検出せず（たとえば、Ｍｎ＞−５ｄＢでイベントＡ４がトリガされる場合に測定結果Ｍｎが−８ｄＢである）、次いで、Ｍｎ−Ｍｓ＞−１５ｄＢであるときにイベントＡ３がトリガされる場合、ハンドオーバイベント決定モジュール３０６は、サービングセルからネイバーセルへのデバイスのアーリーハンドオーバの実施を避ければよい。これらの例の両方において、ハンドオーバ後のネイバーセルにおけるダウンリンクＳＩＮＲが、サービングセルからの干渉がなくても熱的に制限され得ることが予想され得る。
【００５３】
同様に、この例において装置２００によって提供され得るサービングセルが、絶対閾値（たとえば、熱と比較して、−６ｄＢ）を下回るとき、イベント決定モジュール２１０は、より強いネイバーセルに対する範囲拡張のためにハンドオーバをトリガしなくてよい。たとえば、Ｍｓ＜−６ｄＢであるときにイベントＡ２がトリガされ、次いで、Ｍｎ−Ｍｓ＞１５ｄＢであるときにイベントＡ３がトリガされる場合、イベント決定モジュール２１０は、これらのイベントをトリガしてよいが、−６ｄＢは無線リンク故障(radio link failure)に近い可能性があり、ネイバーセルが十分な信号強度をもち、それゆえサービングセルはネイバーセルへのレートハンドオーバのためにデバイスに固執せずにデバイスをネイバーセルにハンドオーバすることができるので、イベントの結果、サービングセルからネイバーセルへのデバイスのレートハンドオーバが起こらない場合もある。別の例として、イベント決定モジュール２１０は、イベントＡ４（たとえば、Ｍｎ＞−９ｄＢ）、次いで、Ｍｎ−Ｍｓ＞１５ｄＢであるときのイベントＡ３のトリガリングを決定した場合、−６ｄＢは無線リンク故障に近い可能性があり、ネイバーセルは十分な信号強度をもち、それゆえサービングセルはセルへのレートハンドオーバのためにデバイスに固執せずにデバイスをネイバーセルにハンドオーバすることができるので、イベントのトリガリングの結果、サービングセルからネイバーセルへのデバイスのレートハンドオーバが起こるべきではない。
【００５４】
さらに別の例では、ハンドオーバイベント決定モジュール３０６は、ネイバーセルの測定結果と、サービングセル以外のセルからの干渉の合計との比較に基づいて、移動性および／または干渉管理条件を決定するための新たなイベントを構成することができる。さらに、ハンドオーバイベント決定モジュール３０６は、そのようなイベントを、（たとえば、ハンドオーバモジュール３１０からのリクエストにより）デバイスからの測定報告をトリガするのに使うことができる。たとえば、受信信号強度インジケータ(received signal strength indicator)（ＲＳＳＩ）が、基準信号(reference signal)（ＲＳ）シンボルにおける測定帯域幅にわたる総受信電力を表し、ＲＳ受信電力(RS received power)（ＲＳＲＰ）が、ＲＳシンボルにおける測定帯域幅にわたるセルからの受信ＲＳ電力を表す場合、値Δｘは、次のように定義することができる。
【数３】
2013541903.tif 000005
【００５５】
上式で、ＲＳＲＰ＿ｘは、セルｘについてのＲＳ電力であり、ＲＳＲＰ＿ｓｅｒｖｉｎｇは、サービングセルについてのＲＳ電力であり、Ｎは、推定データおよびパイロット対パイロット電力比である。Ｎの最小および最大値は、２つの送信機を使用するシステムに対して、それぞれ１および３であり得る。たとえば、推定値は、ネットワークから、またはデバイスによって導出され得る。Ｎに対する最小および最大値を使うことは、多くのシナリオにおいて妥当であり得る。
【００５６】
代替メトリックは、最も強いネイバーを２番目に強いネイバーと比較するためのものである。したがって、メトリックΔｘは、ＲＳＲＰ＿１／ＲＳＲＰ＿２と定義することができ、ＲＳＲＰ＿１は最も強いネイバーのＲＳＲＰであり、ＲＳＲＰ＿２は２番目に強いネイバーのＲＳＲＰである。最も強いネイバーが、２番目に強いネイバーよりも十分に高い場合、ネイバーからの受信電力が、総周辺干渉プラス熱と比較して、顕著である可能性が高い。いずれの場合にも、新たなメトリックΔｘに基づいて、Δｘが第１の閾値Ｔ１(first threshold T1)を上回る場合（たとえば、Δｘ＞Ｔ１という進入条件で）、またはΔｘが第２の閾値Ｔ２(second threshold T2)を下回る場合（たとえば、Δｘ＜Ｔ２という退出条件で）、ハンドオーバモジュール３１０は、デバイスでの測定報告をトリガすることができる。測定報告を受信すると、ハンドオーバイベント決定モジュール３０６は、説明するように、ハンドオーバそれとも干渉緩和イベントがトリガされるか決定することができる。さらに、Δｘと閾値との比較に基づいて、ネイバーセルが周辺干渉と比較して強くなる場合、リソース交渉モジュール３０２は、ネイバーセルとのリソース分割をトリガすることができる。
【００５７】
周波数間測定の場合、性能要件が満たされる限り、デバイスは、測定するべきサブフレームを任意にサンプリングすることができる。ＴＤＭ分割を伴う異種ネットワークでは、複数のサブフレームにわたる測定品質は変わり得る。ＲＳ受信電力(RS received power)（ＲＳＲＰ）の場合、衝突ＲＳ(colliding RS)のケースでは、比較的弱いセルのＲＳＲＰ測定値は、すべてのサブフレームにわたって一定である可能性が高い。非衝突ＲＳのケースでは、比較的弱いセルのＲＳＲＰ測定値は、サブフレームにわたって時変的である可能性が高い。ＲＳ受信品質（ＲＳＲＱ）は、ＲＳＲＰ／ＲＳＳＩとして定義され得る。ＲＳＳＩは、トラフィック負荷に依存する時変的クロスサブフレームであり得る。ＲＳＲＱ測定値はしたがって、ＲＳＲＰとトラフィック負荷の両方の変動性を有し得る。
【００５８】
この例では、ハンドオーバモジュール３１０は、測定値の変動性が考慮されるように他のセルの測定値を報告するように、デバイスを構成することができる。たとえば、保存的であり、レガシーデバイスを範囲拡張領域外に保つことが望ましい場合、ハンドオーバモジュール３１０は、ネイバーセルの信号品質が、サービング呼からの干渉を比較的低く与えられ得る衝突ＲＳに対する測定報告を生成するようにデバイスを構成すればよい。レガシーデバイスを保護リソース上に保つことが望ましい場合、ハンドオーバモジュール３１０は、デバイスがネイバーセルからの強い信号を受け得る非衝突ＲＳに対する測定報告を生成するようにデバイスを構成すればよい。
【００５９】
さらに、高い干渉にさらされるサービングセルの、ノイズの多いＲＳＲＰ測定値は、正バイアスを有し得る。時間に対するクリーンおよびノイズＲＳＲＰ測定値の平均化も、正バイアスを有し得る。したがって、ハンドオーバイベント決定モジュール３０６は、レガシーデバイスからの報告が受信されたとき、バイアスを取り除いて、ハンドオーバイベントがトリガされるかどうか決定すればよい。ハンドオーバイベント決定モジュール３０６はさらに、一例では、測定値のゆらぎを分析して、測定報告が変わったとき、比較的大きいＨｙｓ値を印加すればよい。
【００６０】
図４〜図７は、ワイヤレス通信における干渉の緩和に関する例示的方法体系を示す。説明を簡単にするために、方法体系を一連の行為として図示し説明するが、いくつかの行為は、１つまたは複数の実施形態によれば、他の行為と同時に、および／または本明細書で図示し説明する順序とは異なる順序で行われるので、方法体系は行為の順序によって限定されないことを理解および諒解されたい。たとえば、方法体系は、状態図など、一連の相互に関係する状態またはイベントとして代替的に表現され得ることを諒解されたい。さらに、１つまたは複数の実施形態による方法体系を実施するために、図示のすべての行為が必要とされるわけではない。
【００６１】
図４は、デバイス移動性における干渉を緩和するための例示的方法体系４００を示す。
【００６２】
４０２で、基地局と通信しているモバイルデバイスに関連したハンドオーバイベントが検出され得る。一例では、ハンドオーバイベントは、イベントＡ３、Ａ２、Ａ４、および／または他のワイヤレスネットワーク技術における他のイベント、新たなイベントなどのようなＬＴＥイベントであり得る。ハンドオーバイベントは、イベントの出現の決定に部分的に基づいて検出することができ、この決定は、１つまたは複数のパラメータの監視、イベントの出現の指示の受信などに基づき得る。一例では、ハンドオーバイベントは、サービング基地局の信号品質測定値の監視、ならびに測定値、または測定値と別の基地局の測定値との間の差と、１つもしくは複数の閾値との比較に基づいて決定され得る。別の例では、ハンドオーバイベントは、サービング基地局からのイベントの指示の受信によって決定され得る。
【００６３】
４０４で、ハンドオーバイベントがアーリーまたはレートハンドオーバイベントであるかどうか決定され得る。ハンドオーバイベントの進入に関連した閾値は、アーリーまたはレートハンドオーバを引き起こすように調整することができる。したがって、ハンドオーバイベントがアーリー(early)であるかまたはレート(late)であるかを検出することは、モバイルデバイスから受信された、サービング基地局との信号品質差を、修正された閾値と比較すること、ハンドオーバがアーリーまたはレートハンドオーバであるという通知をサービング基地局から受信することなどを備え得る。
【００６４】
ハンドオーバがアーリーまたはレートハンドオーバである場合、４０６で、モバイルデバイスと通信するための保護リソースセットが割り当てられ得る。保護リソースは、サービング基地局とあらかじめ交渉されたリソースのサブセットであり得る。たとえば、保護リソースセットは、モバイルデバイスに割り振ることができ、割当ての指示は、（たとえば、ＬＴＥにおける物理ダウンリンク制御チャネル（ＰＤＣＣＨ）などの制御チャネルを介する制御メッセージに入れて）モバイルデバイスに伝達することができる。
【００６５】
ハンドオーバイベントがアーリーまたはレートハンドオーバイベントではない場合、４０８で、モバイルデバイスをハンドオーバすることができる。たとえば、サービング基地局からハンドオーバイベントが受信される場合、このことは、モバイルデバイスのハンドオーバを受けることを含んでよく、モバイルデバイスにリソースを割り当てることを含み得る。たとえば、リソースは、この例では、保護リソース以外のリソースセットから選択され得る。別の例では、ハンドオーバイベントが、１つまたは複数の測定値に基づいて検出される場合、４０８でのモバイルデバイスのハンドオーバは、別の基地局へのモバイルデバイスのハンドオーバを含み得る。
【００６６】
図５は、ハンドオーバがアーリーハンドオーバであるかどうかを示すための例示的方法体系５００を示す。
【００６７】
５０２で、基地局へのモバイルデバイスの通信のハンドオーバに関連したハンドオーバイベントを検出することができる。たとえば、イベントは、ＬＴＥにおけるイベントＡ３、Ａ２、Ａ４など、または他のワイヤレスネットワーク技術における他のイベント、新たなイベントなどに対応し得る。ある例では、ハンドオーバに関連した閾値は、いくつかのモバイルデバイスのアーリーハンドオーバを実施するために調整することができる。この点に関して、モバイルデバイスによって報告された信号品質は、基地局の信号品質と比較すればよく、その差は、イベントＡ３に入るための、修正された閾値と比較されて、モバイルデバイスのアーリーハンドオーバを実施するかどうか決定することができる。さらに、基地局は、たとえば、フェムトノード、ピコノード、マイクロノード、または実質的に任意のｅＮＢもしくはＨ（ｅ）ＮＢなどの低電力基地局であり得る。
【００６８】
５０４で、ハンドオーバイベントがアーリーハンドオーバイベントに対応するかどうかを示すハンドオーバメッセージが、基地局に送信され得る。一例では、ハンドオーバメッセージは、測定信号品質の間の差を含んでよく、別の例では、ハンドオーバイベントは、アーリーハンドオーバの明示的指示を備え得る。基地局は、この情報を利用して、干渉から保護された保護リソースセットを、基地局と通信するためにモバイルデバイスに割り当てることができる。
【００６９】
図６は、測定報告を生成するよう、モバイルデバイスに命令するための例示的方法体系６００を示す。
【００７０】
６０２で、信号品質測定値差(signal quality measurement difference)は、モバイルデバイスによって測定されたネイバーセルのＲＳＲＰに基づいて決定され得る。たとえば、信号品質測定値差は、別のネイバーセルのＲＳＲＰ、サービング基地局において受けられるＲＳＳＩなどにさらに基づき得る。
【００７１】
６０４で、モバイルデバイスは、信号品質測定値差と閾値との比較(comparing the signal quality measurement difference to a threshold)に基づいて測定報告を生成するよう、指令され得る。たとえば、コマンドは、測定報告の生成に関連したパラメータとともに、モバイルデバイスに送信され得る。たとえば、コマンドは、閾値信号品質測定値差(threshold signal quality measurement difference)が１つまたは複数の閾値を上回り、または下回るとき、測定報告を生成するための指示を含み得る。
【００７２】
図７は、測定報告を作成するよう、モバイルデバイスに指令するための例示的方法体系７００を示す。
【００７３】
７０２で、モバイルデバイスは、割り当てられたリソースセットによって通信されることができる。たとえば、このセットは、モバイルデバイスからのアクセス要求を受信したときにモバイルデバイスに割り当てられたリソースセットであり得る。リソースは、一例ではＰＤＣＣＨを介して割り当てることができる。
【００７４】
７０４で、範囲拡張が所望されるかどうかが決定され得る。たとえば、この決定は、モバイルデバイスのバージョンに基づく範囲拡張をサポートするかどうか（たとえば、モバイルデバイスがレガシーデバイスであるかどうか）に基づいて行うことができる。別の例では、この決定は、測定された負荷に基づき得る。したがって、いくつかのモバイルデバイスが通信を受けている場合、いくつかのモバイルデバイスに対する範囲拡張をサポートして、モバイルデバイスに、追加または代替としてフェムトノードと通信させることが望ましい場合がある。
【００７５】
範囲拡張が所望される場合、７０６で、モバイルデバイスは、衝突する基準信号を伴うリソースに対する測定報告(measurement reports over resources with colliding reference signals)を生成するよう、指令され得る。この点に関して、リソースに対するネイバーセルの測定値は、非衝突リソースに対する場合よりも高くなり得る。一例では、信号を測定するためのリソースの指定は、（たとえば、制御チャネル通信を介して）モバイルデバイスに与えられ得る。
【００７６】
範囲拡張が所望されない場合、７０８で、モバイルデバイスは、衝突する基準信号を伴わないリソースに対する測定報告(measurement reports over resources without colliding reference signals)を生成するよう、指令され得る。したがって、ネイバーセルの測定値は無視されることができる。同様に、この指令は、リソースの指定を（たとえば、制御チャネル通信を介して）モバイルデバイスに伝達することを含み得る。
【００７７】
本明細書で説明する１つまたは複数の態様によれば、説明したように、デバイスへの干渉を緩和するためにデバイスに保護リソースを割り当てるかどうかなどを決定することに関する推論が行われ得ることを諒解されよう。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７８】
図８は、基地局およびフェムトノードの間での干渉の緩和を円滑にするシステム８００を示す。システム８００は、基地局８０２を含み、基地局８０２は、（たとえば、説明したように、複数のネットワーク技術であり得る）複数の受信アンテナ８０６を介して１つまたは複数のモバイルデバイスまたは基地局８０４から（１つまたは複数の）信号を受信する受信機８１０と、（たとえば、説明したように、複数のネットワーク技術であり得る）複数の送信アンテナ８０８を介して１つまたは複数のモバイルデバイスまたは基地局８０４に送信する送信機８３６とを有する。たとえば、基地局８０２は、モバイルデバイス８０４から受信した信号を基地局８０４に送信することができ、および／または逆もまた同様である。受信機８１０は、１つまたは複数の受信アンテナ８０６から情報を受信することができ、受信された情報を復調する復調器８１２と動作可能に結合される。さらに、一例では、受信機８１０は、ワイヤードバックホールリンクから受信することができる。別々のアンテナとして示してあるが、受信アンテナ８０６の少なくとも１つ、および送信アンテナ８０８の対応する１つは、同じアンテナとして組み合わされ得ることを諒解されたい。本明細書に記載した１つまたは複数の態様の実施に関係する情報を記憶するメモリ８１６に結合されたプロセッサ８１４によって、復調されたシンボルが分析される。
【００７９】
プロセッサ８１４は、たとえば、受信機８１０によって受信された情報の分析および／または送信機８３６による送信のための情報の生成に専用のプロセッサ、基地局８０２の１つまたは複数の構成要素もしくはモジュールを制御するプロセッサ、および／または受信機８１０によって受信された情報の分析、送信機８３６による送信のための情報の生成、ならびに基地局８０２の１つまたは複数の構成要素もしくはモジュールの制御を行うプロセッサとすることができる。さらに、プロセッサ８１４は、本明細書で説明した１つもしくは複数の機能を実施することができ、かつ／またはそのような目的のための構成要素もしくはモジュールと通信することができる。
【００８０】
メモリ８１６は、説明したように、プロセッサ８１４に動作可能に結合され、送信されるべきデータ、受信されたデータ、利用可能なチャネルに関連する情報、分析された信号および／または干渉の強度と関連付けられるデータ、割り当てられたチャネル、出力、速度などと関連する情報、ならびに、チャネルを推定しチャネルを介して通信するための任意の他の適切な情報を、記憶することができる。メモリ８１６は、ハンドオーバイベントの検出および／または１つもしくは複数のデバイスへの保護リソースの割当てに関連付けられたプロトコルおよび／またはアルゴリズムをさらに記憶することができる。
【００８１】
本明細書で説明するデータストア（たとえばメモリ８１６）は、揮発性メモリもしくは不揮発性メモリのいずれかであり得、または揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含み得る。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ８１６は、これらおよび任意の他の適切なタイプのメモリを、それらに限定されることなく、備えるものとする。
【００８２】
プロセッサ８１４はさらに、任意選択で、リソース交渉モジュール２０２および／または３０２と同様であり得るリソース交渉モジュール８１８、ハンドオーバ検出モジュール２０４と同様であり得るハンドオーバ検出モジュール８２０、リソース割当てモジュール２０６と同様であり得るリソース割当てモジュール８２２、通信モジュール２０８および／または３０４と同様であり得る通信モジュール８２４、イベント決定モジュール２１０と同様であり得るイベント決定モジュール８２６、同様のハンドオーバイベント決定モジュール３０６であり得るハンドオーバイベント決定モジュール８２８、ハンドオーバ通知モジュール３０８と同様であり得るハンドオーバ通知モジュール８３０、ならびに／あるいはハンドオーバモジュール３１０と同様であり得るハンドオーバモジュール８３２に結合される。
【００８３】
その上、たとえば、プロセッサ８１４は、変調器８３４を使用して送信されるべき信号を変調し、送信機８３６を使用して被変調信号を送信することができる。送信機８３６は、Ｔｘアンテナ８０８上で信号をモバイルデバイスまたは基地局８０４に送信することができる。さらに、プロセッサ８１４とは別個のものとして図示されているが、リソース交渉モジュール８１８、ハンドオーバ検出モジュール８２０、リソース割当てモジュール８２２、通信モジュール８２４、イベント決定モジュール８２６、ハンドオーバイベント決定モジュール８２８、ハンドオーバ通知モジュール８３０、ハンドオーバモジュール８３２、復調器８１２、および／または変調器８３４は、プロセッサ８１４または複数のプロセッサ（図示せず）の一部とすることができ、および／またはプロセッサ８１４が実行するためのメモリ８１６中の命令として記憶され得ることを諒解されたい。
【００８４】
さらに、基地局８０２は、バックホールインターフェースを介して１つまたは複数のｅＮＢ８４０と通信するためのバックホール通信モジュール８３８を含み得る。たとえば、バックホール通信モジュール８３８は、１つまたは複数のバックホールインターフェース（たとえば、ＬＴＥにおけるＸ２インターフェース）を使うワイヤードまたはワイヤレスバックホールリンクを介してｅＮＢ８４０と通信することができる。バックホールリンクがたとえばワイヤレスである場合、基地局８０２は、ｅＮＢ８４０から通信を受信するのにＲｘアンテナ８０６および受信機８１０を、ならびに／あるいはｅＮＢ８４０に信号を伝達するのにＴｘアンテナ８０８および送信機８３６を使用し得ることを諒解されたい。
【００８５】
図９は、本明細書で提示する様々な実施形態によるワイヤレス通信システム９００を示す。システム９００は、複数のアンテナグループを含むことができる基地局９０２を備える。たとえば、１つのアンテナグループはアンテナ９０４および９０６を含み、別のグループはアンテナ９０８および９１０を備え、さらなるグループはアンテナ９１２および９１４を含むことができる。アンテナグループごとに２つのアンテナが示されているが、グループごとにより多いまたはより少ないアンテナを利用することができる。基地局９０２は、さらに、送信機チェーンおよび受信機チェーンを含むことができ、送信機チェーンおよび受信機チェーンの各々は、諒解されるように、信号送信および受信に関連する複数の構成要素またはモジュール（たとえば、プロセッサ、変調器、マルチプレクサ、復調器、デマルチプレクサ、アンテナなど）を備えることができる。
【００８６】
基地局９０２は、モバイルデバイス９１６およびモバイルデバイス９２２など１つまたは複数のモバイルデバイスと通信することができるが、基地局９０２は、モバイルデバイス９１６および９２２と同様の実質的にいかなる数のモバイルデバイスとも通信することができることを諒解されたい。モバイルデバイス９１６および９２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム９００を介して通信するための任意の他の適切なデバイスとすることができる。図示のように、モバイルデバイス９１６は、アンテナ９１２および９１４と通信しており、アンテナ９１２および９１４は、順方向リンク９１８を介して情報をモバイルデバイス９１６に送信し、逆方向リンク９２０を介してモバイルデバイス９１６から情報を受信する。さらに、モバイルデバイス９２２は、アンテナ９０４および９０６と通信しており、アンテナ９０４および９０６は、順方向リンク９２４を介して情報をモバイルデバイス９２２に送信し、逆方向リンク９２６を介してモバイルデバイス９２２から情報を受信する。周波数分割複信（ＦＤＤ）システムでは、たとえば、順方向リンク９１８は、逆方向リンク９２０によって使用される周波数帯とは異なる周波数帯を利用し、順方向リンク９２４は、逆方向リンク９２６によって使用される周波数帯とは異なる周波数帯を使用することができる。さらに、時分割複信（ＴＤＤ）システムでは、順方向リンク９１８および逆方向リンク９２０は共通の周波数帯を利用し、順方向リンク９２４および逆方向リンク９２６は共通の周波数帯を利用することができる。
【００８７】
アンテナの各グループおよび／またはそれらが通信するように指定されたエリアを、基地局９０２のセクタと呼ぶことができる。たとえば、基地局９０２によってカバーされるエリアのセクタ中のモバイルデバイスに通信するようにアンテナグループを設計することができる。順方向リンク９１８および９２４を介した通信では、基地局９０２の送信アンテナは、モバイルデバイス９１６および９２２についての順方向リンク９１８および９２４の信号対雑音比を向上させるためにビームフォーミングを利用することができる。さらに、基地局９０２が、関連するカバレージ中に不規則に散在するモバイルデバイス９１６および９２２に送信するためにビームフォーミングを利用する間は、基地局が単一のアンテナを介してその基地局のすべてのモバイルデバイスに送信する場合と比較して、隣接セル内のモバイルデバイスは干渉を受けにくい場合がある。さらに、モバイルデバイス９１６および９２２は、図示のようにピアツーピアまたはアドホック技術を使用して互いに直接通信することができる。ある例によると、システム９００は、基地局９０２とモバイルデバイス９１６および／または９２２との間で複数のキャリアを割り当てさせる多入力多出力（ＭＩＭＯ）通信システムまたは同様のシステムであり得る。
【００８８】
図１０に、例示的なワイヤレス通信システム１０００を示す。ワイヤレス通信システム１０００には、簡潔のために、１つの基地局１０１０と、１つのモバイルデバイス１０５０とを示してある。ただし、システム１０００は、２つ以上の基地局および／または２つ以上のモバイルデバイスを含むことができ、追加の基地局および／またはモバイルデバイスは、以下で説明する例示的な基地局１０１０およびモバイルデバイス１０５０と実質的に同様または異なるものとすることができることを諒解されたい。さらに、基地局１０１０および／またはモバイルデバイス１０５０は、それらの間のワイヤレス通信を可能にするために、本明細書で説明するシステム（図１〜図３、図８および図９）および／または方法（図４〜図７）を使用することができることを諒解されたい。たとえば、本願明細書で説明するシステムの構成要素または機能および／あるいは方法は、メモリ１０３２および／または１０７２の一部、あるいは以下で説明するプロセッサ１０３０および／または１０７０であり得、ならびに／あるいは開示する機能を実行するために、プロセッサ１０３０および／または１０７０によって実行され得る。
【００８９】
基地局１０１０において、いくつかのデータストリームのトラフィックデータがデータソース１０１２から送信（ＴＸ）データプロセッサ１０１４に供給される。一例によれば、各データストリームは、それぞれのアンテナを介して送信できる。ＴＸデータプロセッサ１０１４は、トラフィックデータストリーム用に選択された特定の符号化方式に基づいて、そのデータストリームをフォーマット化し、符号化し、インタリーブして、符号化データを与える。
【００９０】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス１０５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ１０３０によって実行または与えられる命令によって決定できる。
【００９１】
データストリームの変調シンボルはＴＸ  ＭＩＭＯプロセッサ１０２０に供給され、ＴＸ  ＭＩＭＯプロセッサ１０２０は、（たとえば、ＯＦＤＭ用に）変調シンボルをさらに処理することができる。次いで、ＴＸ  ＭＩＭＯプロセッサ１０２０は、ＮT個の変調シンボルストリームをＮT個の送信機（ＴＭＴＲ）１０２２ａ〜１０２２ｔに供給する。様々な実施形態では、ＴＸ  ＭＩＭＯプロセッサ１０２０は、データストリームのシンボルと、シンボルの送信元のアンテナとにビームフォーミング重みを適用する。
【００９２】
各送信機１０２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１０２２ａ〜１０２２ｔからのＮT個の被変調信号は、ＮT個のアンテナ１０２４ａ〜１０２４ｔからそれぞれ送信される。
【００９３】
モバイルデバイス１０５０において、送信された被変調信号はＮR個のアンテナ１０５２ａ〜１０５２ｒによって受信され、各アンテナ１０５２からの受信信号は、それぞれの受信機（ＲＣＶＲ）１０５４ａ〜１０５４ｒに供給される。各受信機１０５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９４】
ＲＸデータプロセッサ１０６０は、特定の受信機処理技法に基づいてＮＲ個の受信機１０５４からＮR個の受信シンボルストリームを受信し、処理して、ＮT個の「検出」シンボルストリームを与えることができる。ＲＸデータプロセッサ１０６０は、各検出シンボルストリームを復調し、デインタリーブし、復号して、データストリームのトラフィックデータを復元することができる。ＲＸデータプロセッサ１０６０による処理は、基地局１０１０においてＴＸ  ＭＩＭＯプロセッサ１０２０およびＴＸデータプロセッサ１０１４によって実行される処理を補足するものである。
【００９５】
逆方向リンクメッセージは、通信リンクおよび／または受信データストリームに関する様々なタイプの情報を備えることができる。逆方向リンクメッセージは、データソース１０３６からいくつかのデータストリームのトラフィックデータをも受信するＴＸデータプロセッサ１０３８によって処理され、変調器１０８０によって変調され、送信機１０５４ａ〜１０５４ｒによって調整され、基地局１０１０に戻される。
【００９６】
基地局１０１０において、モバイルデバイス１０５０からの変調信号は、アンテナ１０２４によって受信され、受信機１０２２によって調整され、復調器１０４０によって復調され、ＲＸデータプロセッサ１０４２によって処理されて、モバイルデバイス１０５０によって送信された逆方向リンクメッセージが抽出される。さらに、プロセッサ１０３０は、抽出されたメッセージを処理して、ビームフォーミング重みを決定するためにどのプリコーディング行列を使用すべきかを決定することができる。
【００９７】
プロセッサ１０３０および１０７０は、それぞれ基地局１０１０およびモバイルデバイス１０５０における動作を指示（たとえば、制御、調整、管理など）することができる。それぞれのプロセッサ１０３０および１０７０は、プログラムコードおよびデータを記憶するメモリ１０３２および１０７２に関連付けできる。
【００９８】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。例示的な記憶媒体は、プロセッサが記憶媒体から情報を読み取り、記憶媒体に情報を書き込むことができるようにプロセッサに結合され得る。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することができる。
【００９９】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１００】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2013541903.tif 000006
【図２】
2013541903.tif 000007
【図３】
2013541903.tif 000008
【図４】
2013541903.tif 000009
【図５】
2013541903.tif 000010
【図６】
2013541903.tif 000011
【図７】
2013541903.tif 000012
【図８】
2013541903.tif 000013
【図９】
2013541903.tif 000014
【図１０】
2013541903.tif 000015
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
ワイヤレスネットワークにおける干渉を緩和するための方法であって、
基地局と通信するモバイルデバイスに関連したハンドオーバイベントを検出することと、
前記ハンドオーバイベントがアーリーハンドオーバイベントまたはレートハンドオーバイベントの１つであるかどうかを決定することと、
前記ハンドオーバイベントに基づいて、前記ハンドオーバイベント後に前記モバイルデバイスと通信する際に干渉を緩和するように保護リソースセットを割り当てることと、
を備える方法。
【請求項２】
前記保護リソースセットについて前記基地局と交渉すること、をさらに備える、請求項１に記載の方法。
【請求項３】
前記ハンドオーバイベントが前記アーリーハンドオーバイベントまたは前記レートハンドオーバイベントに対応するという指示を、前記基地局から受信すること、をさらに備える、請求項１に記載の方法。
【請求項４】
前記基地局から少なくとも１つの信号品質測定値を受信することをさらに備え、前記ハンドオーバイベントが前記アーリーハンドオーバイベントまたは前記レートハンドオーバイベントの１つであるかどうかを前記決定することは、前記少なくとも１つの信号品質測定値に部分的に基づく、請求項１に記載の方法。
【請求項５】
前記少なくとも１つの信号品質測定値は、複数の信号品質測定値の間の差を備える、請求項４に記載の方法。
【請求項６】
前記少なくとも１つの信号品質測定値は、周波数における最も強いセルの信号品質測定値と、対応するセル識別とを備える、請求項４に記載の方法。
【請求項７】
第１の閾値信号品質差を第２の閾値信号品質差に調整することをさらに備え、前記第１の閾値信号品質差および前記第２の閾値信号品質差は、レートハンドオーバを実施するための異なる値に対応する、請求項１に記載の方法。
【請求項８】
前記基地局から信号品質測定値差を受信することをさらに備え、
前記決定することは、前記受信信号品質測定値差、前記第１の閾値信号品質差、および前記第２の閾値信号品質差に基づいて、前記ハンドオーバイベントが前記レートハンドオーバイベントに対応すると決定すること、を備える、請求項７に記載の方法。
【請求項９】
前記ハンドオーバイベントが、第３世代パートナーシッププロジェクト（３ＧＰＰ）ロングタームエボリューション（ＬＴＥ）におけるイベントＡ３である、請求項７に記載の方法。
【請求項１０】
ワイヤレスネットワークにおける干渉を緩和するための装置であって、
基地局と通信するモバイルデバイスに関連したハンドオーバイベントを検出するための手段と、
前記ハンドオーバイベントがアーリーハンドオーバイベントまたはレートハンドオーバイベントの１つであるかどうかの決定に基づいて、前記モバイルデバイスと通信する際に干渉を緩和するように保護リソースセットを割り当てるための手段と、
を備える装置。
【請求項１１】
前記保護リソースセットについて前記基地局と交渉するための手段をさらに備える、請求項１０に記載の装置。
【請求項１２】
ワイヤレスネットワークにおける干渉を緩和するための装置であって、
基地局と通信するモバイルデバイスに関連したハンドオーバイベントを検出し、
前記ハンドオーバイベントがアーリーハンドオーバイベントまたはレートハンドオーバイベントの１つであるかどうかを決定し、
前記ハンドオーバイベントに基づいて、前記ハンドオーバイベント後に前記モバイルデバイスと通信する際に干渉を緩和するように保護リソースセットを割り当てる、
ように構成された少なくとも１つのプロセッサと、
前記少なくとも１つのプロセッサに結合されたメモリと、
を備える装置。
【請求項１３】
前記少なくとも１つのプロセッサは、前記保護リソースセットについて前記基地局と交渉するようにさらに構成されている、請求項１２に記載の装置。
【請求項１４】
前記少なくとも１つのプロセッサは、前記基地局から指示を受信したことに部分的に基づいて、前記ハンドオーバイベントが前記アーリーハンドオーバイベントまたは前記レートハンドオーバイベントに対応すると決定する、請求項１２に記載の装置。
【請求項１５】
前記少なくとも１つのプロセッサは、前記基地局から少なくとも１つの信号品質測定値を受信したことに部分的に基づいて、前記ハンドオーバイベントが前記アーリーハンドオーバイベントまたは前記レートハンドオーバイベントの１つであるかどうかを決定する、請求項１２に記載の装置。
【請求項１６】
前記少なくとも１つの信号品質測定値は、複数の信号品質測定値の間の差を備える、請求項１５に記載の装置。
【請求項１７】
前記少なくとも１つの信号品質測定値は、周波数における最も強いセルの信号品質測定値と、対応するセル識別とを備える、請求項１５に記載の装置。
【請求項１８】
前記少なくとも１つのプロセッサは、第１の閾値信号品質差を第２の閾値信号品質差に調整するようにさらに構成されており、前記第１の閾値信号品質差および前記第２の閾値信号品質差は、レートハンドオーバを実施するための異なる値に対応する、請求項１２に記載の装置。
【請求項１９】
前記少なくとも１つのプロセッサは、前記基地局に関連した受信信号品質差、前記第１の閾値信号品質差、および前記第２の閾値信号品質差に基づいて、前記ハンドオーバイベントが前記レートハンドオーバイベントに対応すると決定する、請求項１８に記載の装置。
【請求項２０】
前記ハンドオーバイベントは、第３世代パートナーシッププロジェクト（３ＧＰＰ）ロングタームエボリューション（ＬＴＥ）におけるイベントＡ３である、請求項１８に記載の装置。
【請求項２１】
ワイヤレスネットワークにおける干渉を緩和するためのコンピュータプログラム製品であって、
少なくとも１つのコンピュータに、基地局と通信するモバイルデバイスに関連したハンドオーバイベントを検出させるためのコードと、
前記少なくとも１つのコンピュータに、前記ハンドオーバイベントがアーリーハンドオーバイベントまたはレートハンドオーバイベントの１つであるかどうかを決定させるためのコードと、
前記少なくとも１つのコンピュータに、前記ハンドオーバイベントに基づいて、前記ハンドオーバイベント後に前記モバイルデバイスと通信する際に干渉を緩和するように保護リソースセットを割り当てさせるためのコードと、
を備えるコンピュータ可読媒体、
を備えるコンピュータプログラム製品。
【請求項２２】
前記コンピュータ可読媒体は、前記少なくとも１つのコンピュータに、前記保護リソースセットについて前記基地局と交渉させるためのコードをさらに備える、請求項２１に記載のコンピュータプログラム製品。
【請求項２３】
ワイヤレスネットワークにおける干渉を緩和するための方法であって、
基地局へのモバイルデバイスの通信のハンドオーバに関連したハンドオーバイベントを検出することであって、前記ハンドオーバイベントは、第３世代パートナーシッププロジェクト（３ＧＰＰ）ロングタームエボリューション（ＬＴＥ）におけるイベントＡ３である、検出することと、
前記ハンドオーバイベントがアーリーハンドオーバイベントに対応するかどうかを示すハンドオーバメッセージを、前記基地局に送信することと、
前記アーリーハンドオーバイベントを引き起こすように前記イベントＡ３の閾値を修正することと
を備える方法。
【請求項２４】
前記ハンドオーバイベントを前記検出することは、前記基地局の信号品質差が、少なくとも、前記アーリーハンドオーバイベントに対応する閾値にあると決定すること、を備える、請求項２３に記載の方法。
【請求項２５】
前記基地局の信号品質差を含むように前記ハンドオーバメッセージを生成すること、をさらに備える、請求項２３に記載の方法。
【請求項２６】
前記ハンドオーバイベントを前記検出することは、信号品質が閾値を下回るかどうか、および／または前記基地局の基地局信号品質が隣接閾値を上回るかどうかを決定すること、をさらに備える、請求項２３に記載の方法。
【請求項２７】
前記基地局の基準信号受信電力に少なくとも部分的に基づき信号品質測定値差を決定することに基づいて、測定報告を生成するように、前記モバイルデバイスに指令することをさらに備える、請求項２３に記載の方法。
【請求項２８】
時分割多重において衝突基準信号を介して受信された信号に基づいて測定報告を生成するよう、前記モバイルデバイスに指令することをさらに備える、請求項２３に記載の方法。
【請求項２９】
ワイヤレスネットワークにおける干渉を緩和するための装置であって、
基地局へのモバイルデバイスの通信のハンドオーバに関連したハンドオーバイベントを検出するための手段であって、前記ハンドオーバイベントは、第３世代パートナーシッププロジェクト（３ＧＰＰ）ロングタームエボリューション（ＬＴＥ）におけるイベントＡ３である、検出するための手段と、
前記ハンドオーバイベントがアーリーハンドオーバイベントに対応するかどうかを示すハンドオーバメッセージを、前記基地局に送信するための手段と、
前記アーリーハンドオーバイベントを引き起こすように前記イベントＡ３の閾値を修正するための手段と
を備える装置。
【請求項３０】
検出するための前記手段は、部分的には、前記基地局の信号品質差が、少なくとも、前記アーリーハンドオーバイベントに対応する閾値にあると決定することによって、前記ハンドオーバイベントを検出する、請求項２９に記載の方法。
【請求項３１】
ワイヤレスネットワークにおける干渉を緩和するための装置であって、
基地局へのモバイルデバイスの通信のハンドオーバに関連したハンドオーバイベントを検出し、前記ハンドオーバイベントは、第３世代パートナーシッププロジェクト（３ＧＰＰ）ロングタームエボリューション（ＬＴＥ）におけるイベントＡ３であり、
前記ハンドオーバイベントがアーリーハンドオーバイベントに対応するかどうかを示すハンドオーバメッセージを、前記基地局に送信し、
前記アーリーハンドオーバイベントを引き起こすように前記イベントＡ３の閾値を修正する
ように構成された少なくとも１つのプロセッサと、
前記少なくとも１つのプロセッサに結合されたメモリと、
を備える装置。
【請求項３２】
前記少なくとも１つのプロセッサは、部分的には、前記基地局の信号品質差が少なくとも前記アーリーハンドオーバイベントに対応する閾値にあると決定することによって、前記ハンドオーバイベントを検出する、請求項３１に記載の装置。
【請求項３３】
前記少なくとも１つのプロセッサは、前記基地局の信号品質差を含むように前記ハンドオーバメッセージを生成するようにさらに構成されている、請求項３１に記載の装置。
【請求項３４】
前記少なくとも１つのプロセッサは、部分的には、信号品質が閾値を下回るかどうか、および／または前記基地局の基地局信号品質が隣接閾値を超えるかどうかを決定することによって、前記ハンドオーバイベントを検出する、請求項３１に記載の装置。
【請求項３５】
前記少なくとも１つのプロセッサは、前記基地局の基準信号受信電力に少なくとも部分的に基づき信号品質測定値差を決定することに基づいて、測定報告を生成するように、前記モバイルデバイスに指令するようにさらに構成されている、請求項３１に記載の装置。
【請求項３６】
前記少なくとも１つのプロセッサは、時分割多重において衝突基準信号を介して受信された信号に基づいて測定報告を生成するよう、前記モバイルデバイスに指令するようにさらに構成されている、請求項３１に記載の装置。
【請求項３７】
ワイヤレスネットワークにおける干渉を緩和するためのコンピュータプログラム製品であって、
少なくとも１つのコンピュータに、基地局へのモバイルデバイスの通信のハンドオーバに関連したハンドオーバイベントを検出させるためのコードであって、前記ハンドオーバイベントは、第３世代パートナーシッププロジェクト（３ＧＰＰ）ロングタームエボリューション（ＬＴＥ）におけるイベントＡ３である、検出させるためのコードと、
前記少なくとも１つのコンピュータに、前記ハンドオーバイベントがアーリーハンドオーバイベントに対応するかどうかを示すハンドオーバメッセージを前記基地局に送信させるためのコードと、
前記アーリーハンドオーバイベントを引き起こすように前記イベントＡ３の閾値を修正するためのコードと
を備えるコンピュータ可読媒体、
を備えるコンピュータプログラム製品。
【請求項３８】
前記少なくとも１つのコンピュータに検出させるための前記コードが、部分的には、前記基地局の信号品質差が、少なくとも、前記アーリーハンドオーバイベントに対応する閾値にあると決定することによって、前記ハンドオーバイベントを検出する、請求項３７に記載のコンピュータプログラム製品。
【手続補正２】
【補正対象書類名】明細書
【補正対象項目名】０１００
【補正方法】変更
【補正の内容】
【０１００】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
なお、以下に、出願当初の特許請求の範囲に記載された発明を付記する。
［Ｃ１］ワイヤレスネットワークにおける干渉を緩和するための方法であって、
基地局と通信しているモバイルデバイスに関連したハンドオーバイベントを検出することと、
前記ハンドオーバイベントがアーリーハンドオーバイベントまたはレートハンドオーバイベントの１つであるかどうかを決定することと、
前記ハンドオーバイベントに基づいて、前記ハンドオーバイベント後に前記モバイルデバイスと通信するための保護リソースセットを割り当てることと、
を備える方法。
［Ｃ２］前記保護リソースセットについて前記基地局と交渉すること、をさらに備える、Ｃ１に記載の方法。
［Ｃ３］前記ハンドオーバイベントが前記アーリーハンドオーバイベントまたは前記レートハンドオーバイベントに対応するという指示を、前記基地局から受信すること、をさらに備える、Ｃ１に記載の方法。
［Ｃ４］前記基地局から少なくとも１つの信号品質測定値を受信することをさらに備え、前記ハンドオーバイベントが前記アーリーハンドオーバイベントまたは前記レートハンドオーバイベントの１つであるかどうかを前記決定することは、前記少なくとも１つの信号品質測定値に部分的に基づく、Ｃ１に記載の方法。
［Ｃ５］前記少なくとも１つの信号品質測定値は、複数の信号品質測定値の間の差を備える、Ｃ４に記載の方法。
［Ｃ６］前記少なくとも１つの信号品質測定値は、周波数における最も強いセルの信号品質測定値と、対応するセル識別とを備える、Ｃ４に記載の方法。
［Ｃ７］第１の閾値信号品質差を第２の閾値信号品質差に調整することをさらに備え、前記第１の閾値信号品質差および前記第２の閾値信号品質差は、レートハンドオーバを実施するための異なる値に対応する、Ｃ１に記載の方法。
［Ｃ８］前記基地局から信号品質測定値差を受信することをさらに備え、
前記決定することは、前記受信信号品質測定値差、前記第１の閾値信号品質差、および前記第２の閾値信号品質差に基づいて、前記ハンドオーバイベントが前記レートハンドオーバイベントに対応すると決定すること、を備える、Ｃ７に記載の方法。
［Ｃ９］前記ハンドオーバイベントが、第３世代パートナーシッププロジェクト（３ＧＰＰ）ロングタームエボリューション（ＬＴＥ）におけるイベントＡ３である、Ｃ７に記載の方法。
［Ｃ１０］ワイヤレスネットワークにおける干渉を緩和するための装置であって、
基地局と通信しているモバイルデバイスに関連したハンドオーバイベントを検出するための手段と、
前記ハンドオーバイベントがアーリーハンドオーバイベントまたはレートハンドオーバイベントの１つであるかどうかの決定に基づいて、前記モバイルデバイスと通信するための保護リソースセットを割り当てるための手段と、
を備える装置。
［Ｃ１１］前記保護リソースセットについて前記基地局と交渉するための手段をさらに備える、Ｃ１０に記載の装置。
［Ｃ１２］ワイヤレスネットワークにおける干渉を緩和するための装置であって、
基地局と通信しているモバイルデバイスに関連したハンドオーバイベントを検出し、
前記ハンドオーバイベントがアーリーハンドオーバイベントまたはレートハンドオーバイベントの１つであるかどうか決定し、
前記ハンドオーバイベントに基づいて、前記ハンドオーバイベント後に前記モバイルデバイスと通信するための保護リソースセットを割り当てる、
ように構成された少なくとも１つのプロセッサと、
前記少なくとも１つのプロセッサに結合されたメモリと、
を備える装置。
［Ｃ１３］前記少なくとも１つのプロセッサは、前記保護リソースセットについて前記基地局と交渉するようにさらに構成されている、Ｃ１２に記載の装置。
［Ｃ１４］前記少なくとも１つのプロセッサは、前記基地局から指示を受信したことに部分的に基づいて、前記ハンドオーバイベントが前記アーリーハンドオーバイベントまたは前記レートハンドオーバイベントに対応すると決定する、Ｃ１２に記載の装置。
［Ｃ１５］前記少なくとも１つのプロセッサは、前記基地局から少なくとも１つの信号品質測定値を受信したことに部分的に基づいて、前記ハンドオーバイベントが前記アーリーハンドオーバイベントまたは前記レートハンドオーバイベントの１つであるかどうか決定する、Ｃ１２に記載の装置。
［Ｃ１６］前記少なくとも１つの信号品質測定値は、複数の信号品質測定値の間の差を備える、Ｃ１５に記載の装置。
［Ｃ１７］前記少なくとも１つの信号品質測定値は、周波数における最も強いセルの信号品質測定値と、対応するセル識別とを備える、Ｃ１５に記載の装置。
［Ｃ１８］前記少なくとも１つのプロセッサは、第１の閾値信号品質差を第２の閾値信号品質差に調整するようにさらに構成されており、前記第１の閾値信号品質差および前記第２の閾値信号品質差は、レートハンドオーバを実施するための異なる値に対応する、Ｃ１２に記載の装置。
［Ｃ１９］前記少なくとも１つのプロセッサは、前記基地局に関連した受信信号品質差、前記第１の閾値信号品質差および前記第２の閾値信号品質差に基づいて、前記ハンドオーバイベントが前記レートハンドオーバイベントに対応すると決定する、Ｃ１８に記載の装置。
［Ｃ２０］前記ハンドオーバイベントは、第３世代パートナーシッププロジェクト（３ＧＰＰ）ロングタームエボリューション（ＬＴＥ）におけるイベントＡ３である、Ｃ１８に記載の装置。
［Ｃ２１］ワイヤレスネットワークにおける干渉を緩和するためのコンピュータプログラム製品であって、
少なくとも１つのコンピュータに、基地局と通信しているモバイルデバイスに関連したハンドオーバイベントを検出させるためのコードと、
前記少なくとも１つのコンピュータに、前記ハンドオーバイベントがアーリーハンドオーバイベントまたはレートハンドオーバイベントの１つであるかどうか決定させるためのコードと、
前記少なくとも１つのコンピュータに、前記ハンドオーバイベントに基づいて、前記ハンドオーバイベント後に前記モバイルデバイスと通信するための保護リソースセットを割り当てさせるためのコードと、
を備えるコンピュータ可読媒体、
を備えるコンピュータプログラム製品。
［Ｃ２２］前記コンピュータ可読媒体は、前記少なくとも１つのコンピュータに、前記保護リソースセットについて前記基地局と交渉させるためのコードをさらに備える、Ｃ２１に記載のコンピュータプログラム製品。
［Ｃ２３］ワイヤレスネットワークにおける干渉を緩和するための方法であって、
基地局へのモバイルデバイスの通信のハンドオーバに関連したハンドオーバイベントを検出することと、
前記ハンドオーバイベントがアーリーハンドオーバイベントに対応するかどうかを示すハンドオーバメッセージを、前記基地局に送信することと、
を備える方法。
［Ｃ２４］前記ハンドオーバイベントを前記検出することは、前記基地局の信号品質差が、少なくとも、前記アーリーハンドオーバイベントに対応する閾値にあると決定すること、を備える、Ｃ２３に記載の方法。
［Ｃ２５］前記ハンドオーバイベントが、第３世代パートナーシッププロジェクト（３ＧＰＰ）ロングタームエボリューション（ＬＴＥ）におけるイベントＡ３である、Ｃ２４に記載の方法。
［Ｃ２６］前記イベントＡ３の前記閾値を、前記アーリーハンドオーバイベントを引き起こすように修正すること、をさらに備える、Ｃ２５に記載の方法。
［Ｃ２７］前記基地局の信号品質差を含むように前記ハンドオーバメッセージを生成すること、をさらに備える、Ｃ２３に記載の方法。
［Ｃ２８］前記ハンドオーバイベントを前記検出することは、信号品質が閾値を下回るかどうか、および／または前記基地局の基地局信号品質が隣接閾値を上回るかどうかを決定すること、をさらに備える、Ｃ２３に記載の方法。
［Ｃ２９］前記基地局の基準信号受信電力に少なくとも部分的に基づき信号品質測定値差を決定することに基づいて、測定報告を生成するように、前記モバイルデバイスに指令することをさらに備える、Ｃ２３に記載の方法。
［Ｃ３０］時分割多重において衝突する基準信号を介して受信された信号に基づいて測定報告を生成するよう、前記モバイルデバイスに指令することをさらに備える、Ｃ２３に記載の方法。
［Ｃ３１］ワイヤレスネットワークにおける干渉を緩和するための装置であって、
基地局へのモバイルデバイスの通信のハンドオーバに関連したハンドオーバイベントを検出するための手段と、
前記ハンドオーバイベントがアーリーハンドオーバイベントに対応するかどうかを示すハンドオーバメッセージを、前記基地局に送信するための手段と、
を備える装置。
［Ｃ３２］検出するための前記手段は、部分的には、前記基地局の信号品質差が、少なくとも、前記アーリーハンドオーバイベントに対応する閾値にあると決定することによって、前記ハンドオーバイベントを検出する、Ｃ３１に記載の方法。
［Ｃ３３］ワイヤレスネットワークにおける干渉を緩和するための装置であって、
基地局へのモバイルデバイスの通信のハンドオーバに関連したハンドオーバイベントを検出し、
前記ハンドオーバイベントがアーリーハンドオーバイベントに対応するかどうかを示すハンドオーバメッセージを、前記基地局に送信する、
ように構成された少なくとも１つのプロセッサと、
前記少なくとも１つのプロセッサに結合されたメモリと、
を備える装置。
［Ｃ３４］前記少なくとも１つのプロセッサは、部分的には、前記基地局の信号品質差が少なくとも前記アーリーハンドオーバイベントに対応する閾値にあると決定することによって、前記ハンドオーバイベントを検出する、Ｃ３３に記載の装置。
［Ｃ３５］前記ハンドオーバイベントは、第３世代パートナーシッププロジェクト（３ＧＰＰ）ロングタームエボリューション（ＬＴＥ）におけるイベントＡ３である、Ｃ３４に記載の装置。
［Ｃ３６］前記少なくとも１つのプロセッサは、前記アーリーハンドオーバイベントを引き起こすために前記イベントＡ３の前記閾値を修正するようにさらに構成されている、Ｃ３５に記載の装置。
［Ｃ３７］前記少なくとも１つのプロセッサは、前記基地局の信号品質差を含むように前記ハンドオーバメッセージを生成するようにさらに構成されている、Ｃ３３に記載の装置。
［Ｃ３８］前記少なくとも１つのプロセッサは、部分的には、信号品質が閾値を下回るかどうか、および／または前記基地局の基地局信号品質が隣接閾値を超えるかどうかを決定することによって、前記ハンドオーバイベントを検出する、Ｃ３３に記載の装置。
［Ｃ３９］前記基地局の基準信号受信電力に少なくとも部分的に基づき信号品質測定値差を決定することに基づいて、測定報告を生成するように、前記モバイルデバイスに指令するようにさらに構成されている、Ｃ２３に記載の方法。
［Ｃ４０］前記少なくとも１つのプロセッサは、時分割多重において衝突する基準信号を介して受信された信号に基づいて測定報告を生成するよう、前記モバイルデバイスに指令するようにさらに構成されている、Ｃ３３に記載の装置。
［Ｃ４１］ワイヤレスネットワークにおける干渉を緩和するためのコンピュータプログラム製品であって、
少なくとも１つのコンピュータに、基地局へのモバイルデバイスの通信のハンドオーバに関連したハンドオーバイベントを検出させるためのコードと、
前記少なくとも１つのコンピュータに、前記ハンドオーバイベントがアーリーハンドオーバイベントに対応するかどうかを示すハンドオーバメッセージを前記基地局に送信させるためのコードと、
を備えるコンピュータ可読媒体、
を備えるコンピュータプログラム製品。
［Ｃ４２］前記少なくとも１つのコンピュータに検出させるための前記コードが、部分的には、前記基地局の信号品質差が、少なくとも、前記アーリーハンドオーバイベントに対応する閾値にあると決定することによって、前記ハンドオーバイベントを検出する、Ｃ４１に記載のコンピュータプログラム製品。
【国際調査報告】
2013541903.tif 000016
2013541903.tif 000017
2013541903.tif 000018